(57)【要約】  本技法は、低レイテンシまたは高信頼送信など、短縮送信時間間隔(sTTI)を使用するアップリンク送信に使用されるべきであるアップリンクリソースを識別することを提供する。sTTI内の1つまたは複数のRSシンボルおよび1つまたは複数のデータシンボルのロケーションを含む、3シンボルsTTIのための基準信号(RS)構成が識別され得る。RS構成はアップリンクリソースの割振りとともに、割り振られたアップリンクリソースを使用してアップリンク通信を送信し得るユーザ機器(UE)に提供され得る。
2019537371.tif 000002
【特許請求の範囲】
【請求項１】
ワイヤレス通信のための方法であって、
サブフレームのスロット内に3つの直交周波数分割多重(OFDM)シンボルを含む第1の送信時間間隔(TTI)内のアップリンク制御チャネル送信に対してアップリンクリソースを割り振るステップと、
前記第1のTTIのための基準信号(RS)構成を識別するステップと、
前記アップリンク制御チャネル送信に対するアップリンク許可をユーザ機器(UE)に送信するステップとを含み、前記アップリンク許可が、前記第1のTTIに対する前記割り振られたアップリンクリソースのうちの少なくとも1つと前記RS構成との表示を含む、方法。
【請求項２】
前記RS構成が、データ送信に使用されるべきである前記第1のTTI内の1つまたは複数のOFDMシンボルロケーションと、復調基準信号(DMRS)送信に使用されるべきである前記第1のTTI内の1つまたは複数のOFDMシンボルロケーションとを示す、請求項1に記載の方法。
【請求項３】
前記RS構成を識別する前記ステップが、
前記第1のTTI内で、1つのデータシンボル、1つのRSシンボル、および1つの未使用シンボルを識別するステップを含む、請求項1に記載の方法。
【請求項４】
前記第1のTTIが、前記サブフレームの始端に位置するのかまたは前記サブフレームの終端に位置するのかを決定するステップと、
前記第1のTTIが前記サブフレームの前記始端に位置すると決定することに応答して、前記第1のTTIの最初のシンボルを前記未使用シンボルとして選択するステップ、
前記第1のTTIが前記サブフレームの前記終端に位置すると決定することに応答して、前記第1のTTIの最後のシンボルを前記未使用シンボルとして選択するステップ、または
前記第1のTTIが前記サブフレームの前記始端にも前記終端にも位置しないと決定することに応答して、前記第1のTTIの前記最初のシンボルまたは前記最後のシンボルのいずれかを前記未使用シンボルとして選択するステップとをさらに含む、請求項3に記載の方法。
【請求項５】
前記第1のTTIが、前記サブフレームの始端に位置すると決定するステップと、
保護されるべきであるのは前記データシンボルかまたは前記RSシンボルかに少なくとも部分的に基づいて、前記第1のTTIの最初のシンボルまたは最後のシンボルのいずれかを前記未使用シンボルとして選択するステップとをさらに含む、請求項3に記載の方法。
【請求項６】
前記RS構成を識別する前記ステップが、
2つのデータシンボルおよび1つのRSシンボルを識別するステップを含む、請求項1に記載の方法。
【請求項７】
前記2つのデータシンボルが冗長情報を搬送するように構成される、請求項6に記載の方法。
【請求項８】
前記2つのデータシンボルが、第1の巡回シフトシーケンスを使用して制御データを送信するように構成された第1のデータシンボルと、第2の巡回シフトシーケンスを使用して同じ制御データを送信するように構成された第2のデータシンボルとを含む、請求項7に記載の方法。
【請求項９】
前記2つのデータシンボルが、第1のスクランブルシーケンスを使用して制御データを送信するように構成された第1のデータシンボルと、第2のスクランブルシーケンスを使用して同じ制御データを送信するように構成された第2のデータシンボルとを含む、請求項7に記載の方法。
【請求項１０】
前記2つのデータシンボルが自己復号可能である、請求項6に記載の方法。
【請求項１１】
前記2つのデータシンボルが非冗長情報を搬送するように構成される、請求項6に記載の方法。
【請求項１２】
第1の数のハイブリッド自動再送要求(HARQ)バンドリング動作を有する前記第1のTTIを構成するステップと、
HARQバンドリング動作の前記第1の数より大きい第2の数のHARQバンドリング動作を有する、前記サブフレームの前記スロット内に2つのOFDMシンボルを含む第2のTTIを構成するステップとをさらに含む、請求項6に記載の方法。
【請求項１３】
第1の数のフィードバック肯定応答ビットを有する前記第1のTTIを構成するステップと、
フィードバック肯定応答ビットの前記第1の数より小さい第2の数のフィードバック肯定応答ビットを有する第2のTTIを構成するステップとをさらに含む、請求項12に記載の方法。
【請求項１４】
豊富なチャネル状態情報(CSI)プロセスを用いて前記第1のTTIを構成するステップと、
制限されたCSIプロセスを用いて前記第2のTTIを構成するステップとをさらに含む、請求項12に記載の方法。
【請求項１５】
前記RS構成が、無線リソース制御(RRC)シグナリングを通して、またはアップリンク許可内でUEに送信される、請求項1に記載の方法。
【請求項１６】
前記基準信号構成を識別する前記ステップが、2つのOFDMシンボルを有する前記サブフレームの前記スロット内の第2のTTIのより低密度のRS構成に対して、前記第1のTTIのためのより高密度のRS構成を識別するステップを含む、請求項1に記載の方法。
【請求項１７】
前記基準信号構成を識別する前記ステップが、
前記UEのRS送信に対する前記第1のTTIの第1のOFDMシンボルを構成しかつ第2のUEのRS送信に対する前記第1のTTIの第2のOFDMシンボルを構成するステップ、
前記UEのRS送信に対する前記第1のTTIの前記第1のOFDMシンボルおよび前記第2のOFDMシンボルの各々の第1のインターレースを構成しかつ第2のUEのRS送信に対する前記第1のTTIの前記第1のOFDMシンボルおよび前記第2のOFDMシンボルの各々の第2のインターレースを構成するステップ、または
異なる巡回シフトを使用するRS送信に対して前記第1のOFDMシンボルと前記第2のOFDMシンボルの両方をそれぞれ使用するように前記UEおよび前記第2のUEを構成するステップを含む、請求項1に記載の方法。
【請求項１８】
ワイヤレス通信のための方法であって、
第1の送信時間間隔(TTI)に対するアップリンクリソースの割振りを基地局から受信するステップであって、前記第1のTTIが、無線サブフレームのスロット内に3つの直交周波数分割多重(OFDM)シンボルを含む、ステップと、
前記第1のTTIのための基準信号(RS)およびデータ構成を識別するステップと、
前記RSおよびデータの構成に少なくとも部分的に基づいて前記割り振られたアップリンクリソースを使用して、RSおよびデータを前記基地局に送信するステップとを含む、方法。
【請求項１９】
前記RS構成が、データ送信に使用されるべきである前記第1のTTI内の1つまたは複数のOFDMシンボルロケーションと、復調基準信号(DMRS)送信に使用されるべきである前記第1のTTI内の1つまたは複数のOFDMシンボルロケーションとを示す、請求項18に記載の方法。
【請求項２０】
前記RS構成を識別する前記ステップが、
前記第1のTTI内で、1つのデータシンボル、1つのRSシンボル、および1つの未使用シンボルを識別するステップを含む、請求項18に記載の方法。
【請求項２１】
前記第1のTTIが前記サブフレームの始端に位置するときに前記第1のTTIの最初のシンボルは前記未使用シンボルであり、前記第1のTTIが前記サブフレームの終端に位置するときに前記第1のTTIの最後のシンボルは前記未使用シンボルであり、あるいは前記第1のTTIが前記サブフレームの前記始端にも前記終端にも位置しないときに前記第1のTTIの前記最初のシンボルまたは前記最後のシンボルのいずれかは前記未使用シンボルである、請求項20に記載の方法。
【請求項２２】
前記第1のTTIの最初のシンボルまたは最後のシンボルのいずれかは、前記第1のTTIが前記サブフレームの始端に位置するときに前記未使用シンボルである、請求項20に記載の方法。
【請求項２３】
前記RS構成を識別する前記ステップが、
2つのデータシンボルおよび1つのRSシンボルを識別するステップを含む、請求項18に記載の方法。
【請求項２４】
前記2つのデータシンボルが冗長情報を搬送するように構成される、請求項23に記載の方法。
【請求項２５】
前記2つのデータシンボルが、第1の巡回シフト(CS)を使用して巡回シフトされる制御データを有する第1のデータシンボルと、前記第1のCSとは異なる第2のCSを使用して巡回シフトされる同じ制御データを有する第2のデータシンボルとを含む、請求項24に記載の方法。
【請求項２６】
前記2つのデータシンボルが、第1のスクランブルシーケンスを使用してスクランブルされる制御データを有する第1のデータシンボルと、第2のスクランブルシーケンスを使用してスクランブルされる同じ制御データを有する第2のデータシンボルとを含む、請求項24に記載の方法。
【請求項２７】
前記2つのデータシンボルが自己復号可能である、請求項23に記載の方法。
【請求項２８】
前記2つのデータシンボルが非冗長情報を搬送するように構成される、請求項23に記載の方法。
【請求項２９】
第1の数のハイブリッド自動再送要求(HARQ)バンドリング動作を使用して前記第1のTTIを送信するステップと、
HARQバンドリング動作の前記第1の数より大きい第2の数のHARQバンドリング動作を使用して、前記サブフレームの前記スロット内に2つのOFDMシンボルを含む第2のTTIを送信するステップとをさらに含む、請求項23に記載の方法。
【請求項３０】
第1の数のフィードバック肯定応答ビットを有する前記第1のTTIを送信するステップと、
フィードバック肯定応答ビットの前記第1の数より小さい第2の数のフィードバック肯定応答ビットを有する前記第2のTTIを送信するステップとをさらに含む、請求項29に記載の方法。
【請求項３１】
豊富なチャネル状態情報(CSI)プロセスを用いて前記第1のTTIを送信するステップと、
制限されたCSIプロセスを用いて前記第2のTTIを送信するステップとをさらに含む、請求項29に記載の方法。
【請求項３２】
前記RS構成を含む無線リソース制御(RRC)シグナリングを受信するステップをさらに含む、請求項18に記載の方法。
【請求項３３】
前記受信するステップが、アップリンクリソースの前記割振りの一部として前記RS構成を受信するステップをさらに含む、請求項18に記載の方法。
【請求項３４】
前記第1のTTIに対する前記RSが、2つのOFDMシンボルを有する前記サブフレームの前記スロット内の第2のTTIのより低密度のRSより高密度のRSである、請求項18に記載の方法。
【請求項３５】
システムにおけるワイヤレス通信のための装置であって、
プロセッサと、
前記プロセッサと電子通信しているメモリと、
前記メモリ内に記憶された命令とを含み、前記命令が、前記プロセッサによって実行されたとき、前記装置に、
サブフレームのスロット内に3つのOFDMシンボルを含む第1のTTI内のアップリンク制御チャネル送信に対してアップリンクリソースを割り振ることと、
前記第1のTTIのためのRS構成を識別することと、
前記アップリンク制御チャネル送信に対するアップリンク許可をUEに送信することとを行わせるように動作可能であり、前記アップリンク許可が、前記第1のTTIに対する前記割り振られたアップリンクリソースのうちの少なくとも1つと前記RS構成との表示を含む、装置。
【請求項３６】
システムにおけるワイヤレス通信のための装置であって、
プロセッサと、
前記プロセッサと電子通信しているメモリと、
前記メモリ内に記憶された命令とを含み、前記命令が、前記プロセッサによって実行されたとき、前記装置に、
第1のTTIに対するアップリンクリソースの割振りを基地局から受信することであって、前記第1のTTIが、無線サブフレームのスロット内に3つのOFDMシンボルを含む、受信することと、
前記第1のTTIのためのRSおよびデータの構成を識別することと、
前記RSおよびデータの構成に少なくとも部分的に基づいて前記割り振られたアップリンクリソースを使用して、RSおよびデータを前記基地局に送信することとを行わせるように動作可能である、装置。
【請求項３７】
ワイヤレス通信のための装置であって、
サブフレームのスロット内に3つのOFDMシンボルを含む第1のTTI内のアップリンク制御チャネル送信に対してアップリンクリソースを割り振るための手段と、
前記第1のTTIのためのRS構成を識別するための手段と、
前記アップリンク制御チャネル送信に対するアップリンク許可をUEに送信するための手段とを含み、前記アップリンク許可が、前記第1のTTIに対する前記割り振られたアップリンクリソースのうちの少なくとも1つと前記RS構成との表示を含む、装置。
【請求項３８】
前記RS構成を識別するための前記手段が、
前記第1のTTI内で、1つのデータシンボル、1つのRSシンボル、および1つの未使用シンボルを識別するための手段を含む、請求項37に記載の装置。
【請求項３９】
前記第1のTTIが、前記サブフレームの始端に位置するのかまたは前記サブフレームの終端に位置するのかを決定するための手段と、
前記第1のTTIが前記サブフレームの前記始端に位置すると決定することに応答して、前記第1のTTIの最初のシンボルを前記未使用シンボルとして選択するための手段、
前記第1のTTIが前記サブフレームの前記終端に位置すると決定することに応答して、前記第1のTTIの最後のシンボルを前記未使用シンボルとして選択するための手段、または
前記第1のTTIが前記サブフレームの前記始端にも前記終端にも位置しないと決定することに応答して、前記第1のTTIの前記最初のシンボルまたは前記最後のシンボルのいずれかを前記未使用シンボルとして選択するための手段とをさらに含む、請求項38に記載の装置。
【請求項４０】
前記RS構成を識別するための前記手段が、
2つのデータシンボルおよび1つのRSシンボルを識別するための手段を含み、前記2つのデータシンボルが冗長情報を搬送するように構成される、請求項37に記載の装置。
【請求項４１】
前記2つのデータシンボルが、第1の巡回シフトシーケンスを使用して制御データを送信するように構成された第1のデータシンボルと、第2の巡回シフトシーケンスを使用して同じ制御データを送信するように構成された第2のデータシンボルとを含む、請求項40に記載の装置。
【請求項４２】
前記2つのデータシンボルが、第1のスクランブルシーケンスを使用して制御データを送信するように構成された第1のデータシンボルと、第2のスクランブルシーケンスを使用して同じ制御データを送信するように構成された第2のデータシンボルとを含む、請求項40に記載の装置。
【請求項４３】
ワイヤレス通信のための装置であって、
第1のTTIに対するアップリンクリソースの割振りを基地局から受信するための手段であって、前記第1のTTIが、無線サブフレームのスロット内に3つのOFDMシンボルを含む、手段と、
前記第1のTTIのためのRSおよびデータの構成を識別するための手段と、
前記RSおよびデータの構成に少なくとも部分的に基づいて前記割り振られたアップリンクリソースを使用して、RSおよびデータを前記基地局に送信するための手段とを含む、装置。
【請求項４４】
前記RS構成を識別するための前記手段が、
前記第1のTTI内で、1つのデータシンボル、1つのRSシンボル、および1つの未使用シンボルを識別するための手段を含む、請求項43に記載の装置。
【請求項４５】
前記第1のTTIが前記サブフレームの始端に位置するときに前記第1のTTIの最初のシンボルは前記未使用シンボルであり、前記第1のTTIが前記サブフレームの終端に位置するときに前記第1のTTIの最後のシンボルは前記未使用シンボルであり、あるいは前記第1のTTIが前記サブフレームの前記始端にも前記終端にも位置しないときに前記第1のTTIの前記最初のシンボルまたは前記最後のシンボルのいずれかは前記未使用シンボルである、請求項44に記載の装置。
【請求項４６】
前記RS構成を識別するための前記手段が、
2つのデータシンボルおよび1つのRSシンボルを識別するための手段を含み、前記2つのデータシンボルが冗長情報を搬送するように構成される、請求項43に記載の装置。
【請求項４７】
前記2つのデータシンボルが、第1の巡回シフト(CS)を使用して巡回シフトされる制御データを有する第1のデータシンボルと、前記第1のCSとは異なる第2のCSを使用して巡回シフトされる同じ制御データを有する第2のデータシンボルとを含む、請求項46に記載の装置。
【請求項４８】
前記2つのデータシンボルが、第1のスクランブルシーケンスを使用してスクランブルされる制御データを有する第1のデータシンボルと、第2のスクランブルシーケンスを使用してスクランブルされる同じ制御データを有する第2のデータシンボルとを含む、請求項46に記載の装置。
【請求項４９】
ワイヤレス通信のためのコードを記憶するコンピュータ可読記録媒体であって、前記コードが、
サブフレームのスロット内に3つのOFDMシンボルを含む第1のTTI内のアップリンク制御チャネル送信に対してアップリンクリソースを割り振ることと、
前記第1のTTIのためのRS構成を識別することと、
前記アップリンク制御チャネル送信に対するアップリンク許可をUEに送信することとを行うことをプロセッサによって実行可能である命令を含み、前記アップリンク許可が、前記第1のTTIに対する前記割り振られたアップリンクリソースのうちの少なくとも1つと前記RS構成との表示を含む、コンピュータ可読記録媒体。
【請求項５０】
ワイヤレス通信のためのコードを記憶するコンピュータ可読記録媒体であって、前記コードが、
第1のTTIに対するアップリンクリソースの割振りを基地局から受信することであって、前記第1のTTIが、無線サブフレームのスロット内に3つのOFDMシンボルを含む、受信することと、
前記第1のTTIのためのRSおよびデータの構成を識別することと、
前記RSおよびデータの構成に少なくとも部分的に基づいて前記割り振られたアップリンクリソースを使用して、RSおよびデータを前記基地局に送信することとを行うことをプロセッサによって実行可能である命令を含む、コンピュータ可読記録媒体。
【発明の詳細な説明】
【技術分野】
【０００１】
相互参照
本特許出願は、各々が本出願の譲受人に譲渡された、2017年11月8日に出願した「Configuration For Data and Reference Signal Transmissions With Shortened Transmission Time Intervals」と題する、Hosseiniらによる米国特許出願第15/806,812号、および2016年11月11日に出願した「Configuration For Data and Reference Signal Transmissions With Shortened Transmission Time Intervals」と題する、Hosseiniらによる米国仮特許出願第62/421,183号の優先権を主張する。
【０００２】
以下は、一般に、ワイヤレス通信に関し、より詳細には、短縮送信時間間隔(sTTI)を用いたデータおよび基準信号送信のための構成に関する。
【背景技術】
【０００３】
ワイヤレス多元接続技術は、異なるワイヤレスデバイスが地方自治体、国家、地域、さらには地球規模で通信することを可能にする共通プロトコルを提供するために、様々な電気通信規格において採用されている。例示的な電気通信規格は、ロングタームエボリューション(LTE)である。LTEは、スペクトル効率を改善し、コストを下げ、サービスを改善し、新しいスペクトルを利用し、他のオープン規格とより良く統合するように設計されている。LTEは、ダウンリンク(DL)上でOFDMAを、アップリンク(UL)上でシングルキャリア周波数分割多元接続(SC-FDMA)を使用し、多入力多出力(MIMO)アンテナ技術を使用し得る。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEネットワークまたはLTEアドバンスト(LTE-A)ネットワークでは、1つまたは複数の基地局のセットがeNodeB(eNB)を定義し得る。他の例では(たとえば、次世代ニューラジオ(NR)または5Gネットワークにおけるでは)、ワイヤレス多元接続通信システムは、いくつかのアクセスノードコントローラ(ANC)と通信しているいくつかのスマートラジオヘッド(RH)を含むことがあり、ここでANCと通信している1つまたは複数のRHのセットが基地局(たとえば、eNBまたはgNB)を定義する。基地局は、ダウンリンク(DL)チャネル(たとえば、基地局からUEへの送信用)上およびアップリンク(UL)チャネル(たとえば、UEから基地局への送信用)上でUEのセットと通信し得る。
【０００５】
いくつかのLTEまたはNR展開における基地局は、レガシーLTE TTIに対して長さを低減された送信時間間隔(TTI)を使用して1つまたは複数のUEに送信し得る。そのようなTTIは、短縮TTI(sTTI)と呼ばれることがあり、sTTIを使用して通信するユーザは、低レイテンシユーザと呼ばれることがある。sTTIは、レガシーTTIサブフレームに対応する1つまたは複数のサブフレームのサブセットであり得る。基地局は、sTTIに対する送信リソースを、時間リソースおよび/または周波数リソースを含み得るUEに割り振る場合がある。データ、制御情報および基準信号の送信に対するそのようなリソースの効率的な割振りは、ワイヤレス通信システムの効率の向上を助ける場合がある。
【発明の概要】
【課題を解決するための手段】
【０００６】
説明する技法は、3つの直交周波数分割多重(OFDM)シンボルを有する短縮送信時間間隔(sTTI)内のデータおよび基準信号(RS)送信のための構成をサポートする、改善された方法、システム、デバイス、または装置に関する。一般に、説明する技法は、sTTI(たとえば、低レイテンシまたは高信頼送信)を使用するアップリンク送信に使用されるべきアップリンクリソースを識別することを提供する。sTTI内の1つまたは複数のRSシンボルおよび1つまたは複数のデータシンボルのロケーションを含むRS構成が識別され得る。RS構成は、アップリンクリソースの割振りとともに、割り振られたアップリンクリソースを使用してアップリンク通信を送信し得るユーザ機器(UE)に提供され得る。いくつかの例では、復調基準信号(DMRS)構成などのRS構成は、基地局によって動的に識別されてUEにシグナリングされ得る。場合によっては、2つ以上のUEからの基準信号は、(たとえば、各UEにおいて異なる巡回シフトを適用することによって、または異なるUEにsTTIの異なるRSシンボルを割り当てることを介して)多重化され、sTTIのための基準信号リソースを使用して送信されてもよい。
【０００７】
ワイヤレス通信の方法について説明する。方法は、サブフレームのスロット内に3つのOFDMシンボルを含む第1のTTI内のアップリンク制御チャネル送信に対してアップリンクリソースを割り振るステップと、第1のTTIのためのRS構成を識別するステップと、アップリンク制御チャネル送信に対するアップリンク許可をUEに送信するステップとを含んでもよく、アップリンク許可は、第1のTTIに対する割り振られたアップリンクリソースのうちの少なくとも1つとRS構成との表示を含む。
【０００８】
ワイヤレス通信のための装置について説明する。装置は、サブフレームのスロット内に3つのOFDMシンボルを含む第1のTTI内のアップリンク制御チャネル送信に対してアップリンクリソースを割り振るための手段と、第1のTTIのためのRS構成を識別するための手段と、アップリンク制御チャネル送信に対するアップリンク許可をUEに送信するための手段とを含んでもよく、アップリンク許可は、第1のTTIに対する割り振られたアップリンクリソースのうちの少なくとも1つとRS構成との表示を含む。
【０００９】
ワイヤレス通信のための別の装置について説明する。この装置は、プロセッサと、プロセッサと電子通信しているメモリと、メモリ内に記憶された命令とを含み得る。命令は、サブフレームのスロット内に3つのOFDMシンボルを含む第1のTTI内のアップリンク制御チャネル送信に対してアップリンクリソースを割り振ることと、第1のTTIのためのRS構成を識別することと、アップリンク制御チャネル送信に対するアップリンク許可をUEに送信することとをプロセッサに行わせるように動作可能であってもよく、アップリンク許可は、第1のTTIに対する割り振られたアップリンクリソースのうちの少なくとも1つとRS構成との表示を含む。
【００１０】
ワイヤレス通信のための非一時的コンピュータ可読媒体について説明する。非一時的コンピュータ可読媒体は、サブフレームのスロット内に3つのOFDMシンボルを含む第1のTTI内のアップリンク制御チャネル送信に対してアップリンクリソースを割り振ることと、第1のTTIのためのRS構成を識別することと、アップリンク制御チャネル送信に対するアップリンク許可をUEに送信することとをプロセッサに行わせるように動作可能な命令を含んでもよく、アップリンク許可は、第1のTTIに対する割り振られたアップリンクリソースのうちの少なくとも1つとRS構成との表示を含む。
【００１１】
上記の方法、装置、および非一時的コンピュータ可読媒体のいくつかの例では、RS構成は、データ送信に使用されるべきであり得る第1のTTI内の1つまたは複数のOFDMシンボルロケーションと、DMRS送信に使用されるべきであり得る第1のTTI内の1つまたは複数のOFDMシンボルロケーションとを示す。
【００１２】
上記の方法、装置、および非一時的コンピュータ可読媒体のいくつかの例では、RS構成を識別することは、第1のTTI内で1つのデータシンボル、1つのRSシンボル、および1つの未使用シンボルを識別することを含む。上記の方法、装置、および非一時的コンピュータ可読媒体のいくつかの例は、第1のTTIがサブフレームの始端に位置するのかまたはサブフレームの終端に位置するのかを決定し、第1のTTIがサブフレームの始端に位置すると決定することに応答して第1のTTIの最初のシンボルを未使用シンボルとして選択すること、第1のTTIがサブフレームの終端に位置すると決定することに応答して第1のTTIの最後のシンボルを未使用シンボルとして選択すること、または第1のTTIがサブフレームの始端にも終端にも位置しないと決定することに応答して第1のTTIの最初のシンボルまたは最後のシンボルのいずれかを未使用シンボルとして選択することを行うためのプロセス、特徴、手段、または命令をさらに含んでもよい。上記の方法、装置、および非一時的コンピュータ可読媒体のいくつかの例は、第1のTTIがサブフレームの始端に位置すると決定することと、保護されるべきであるのはデータシンボルかまたはRSシンボルかに少なくとも部分的に基づいて第1のTTIの最初のシンボルまたは最後のシンボルのいずれかを未使用シンボルとして選択することとを行うためのプロセス、特徴、手段、または命令をさらに含んでもよい。
【００１３】
上記の方法、装置、および非一時的コンピュータ可読媒体のいくつかの例では、RS構成を識別することは、2つのデータシンボルおよび1つのRSシンボルを識別することを含む。上記の方法、装置、および非一時的コンピュータ可読媒体のいくつかの例では、2つのデータシンボルは、冗長情報を搬送するように構成され得る。上記の方法、装置、および非一時的コンピュータ可読媒体のいくつかの例では、2つのデータシンボルは、第1の巡回シフトシーケンスを使用して制御データを送信するように構成された第1のデータシンボルと、第2の巡回シフトシーケンスを使用して同じ制御データを送信するように構成された第2のデータシンボルとを含む。上記の方法、装置、および非一時的コンピュータ可読媒体のいくつかの例では、2つのデータシンボルは、第1のスクランブルシーケンスを使用して制御データを送信するように構成された第1のデータシンボルと、第2のスクランブルシーケンスを使用して同じ制御データを送信するように構成された第2のデータシンボルとを含む。上記の方法、装置、および非一時的コンピュータ可読媒体のいくつかの例では、2つのデータシンボルは自己復号可能であり得る。
【００１４】
上記の方法、装置、および非一時的コンピュータ可読媒体のいくつかの例では、2つのデータシンボルは、非冗長情報を搬送するように構成され得る。上記の方法、装置、および非一時的コンピュータ可読媒体のいくつかの例は、第1の数のバンドリング動作を有する第1のTTIを構成することと、バンドリング動作の第1の数より大きくてもよい第2の数のバンドリング動作を有する、サブフレームのスロット内に2つのOFDMシンボルを含む第2のTTIを構成することとを行うためのプロセス、特徴、手段、または命令をさらに含んでもよい。
【００１５】
上記の方法、装置、および非一時的コンピュータ可読媒体のいくつかの例は、第1の数のフィードバック肯定応答ビットを有する第1のTTIを構成することと、フィードバック肯定応答ビットの第1の数より小さくてもよい第2の数のフィードバック肯定応答ビットを有する第2のTTIを構成することとを行うためのプロセス、特徴、手段、または命令をさらに含んでもよい。上記の方法、装置、および非一時的コンピュータ可読媒体のいくつかの例は、豊富なCSIプロセスを用いて第1のTTIを構成することと、制限されたCSIプロセスを用いて第2のTTIを構成することとを行うためのプロセス、特徴、手段、または命令をさらに含み得る。
【００１６】
上に記載した方法、装置、および非一時的コンピュータ可読媒体のいくつかの例では、RS構成は、RRCシグナリングを介して、またはアップリンク許可内でUEに送信され得る。
【００１７】
上記の方法、装置、および非一時的コンピュータ可読媒体のいくつかの例では、基準信号構成を識別することは、2つのOFDMシンボルを有し得るサブフレームのスロット内の第2のTTIのより低密度のRS構成に対して、第1のTTIのためのより高密度のRS構成を識別することを含む。上記の方法、装置、および非一時的コンピュータ可読媒体のいくつかの例では、基準信号構成を識別することは、UEのRS送信に対する第1のTTIの第1のOFDMシンボルを構成しかつ第2のUEのRS送信に対する第1のTTIの第2のOFDMシンボルを構成すること、またはUEのRS送信に対する第1のTTIの第1のOFDMシンボルおよび第2のOFDMシンボルの各々の第1のインターレースを構成しかつ第2のUEのRS送信に対する第1のTTIの第1のOFDMシンボルおよび第2のOFDMシンボルの各々の第2のインターレースを構成することを含む。
【００１８】
ワイヤレス通信の方法について説明する。方法は、第1のTTIに対するアップリンクリソースの割振りを基地局から受信するステップであって、第1のTTIは無線サブフレームのスロット内に3つのOFDMシンボルを含む、ステップと、第1のTTIのためのRSおよびデータの構成を識別するステップと、RSおよびデータの構成に少なくとも部分的に基づいて割り振られたアップリンクリソースを使用してRSおよびデータを基地局に送信するステップとを含み得る。
【００１９】
ワイヤレス通信のための装置について説明する。装置は、第1のTTIに対するアップリンクリソースの割振りを基地局から受信するための手段であって、第1のTTIは無線サブフレームのスロット内に3つのOFDMシンボルを含む、手段と、第1のTTIのためのRSおよびデータの構成を識別するための手段と、RSおよびデータの構成に少なくとも部分的に基づいて割り振られたアップリンクリソースを使用してRSおよびデータを基地局に送信するための手段とを含み得る。
【００２０】
ワイヤレス通信のための別の装置について説明する。この装置は、プロセッサと、プロセッサと電子通信しているメモリと、メモリ内に記憶された命令とを含み得る。命令は、第1のTTIに対するアップリンクリソースの割振りを基地局から受信することであって、第1のTTIは無線サブフレームのスロット内に3つのOFDMシンボルを含む、受信することと、第1のTTIのためのRSおよびデータの構成を識別することと、RSおよびデータの構成に少なくとも部分的に基づいて割り振られたアップリンクリソースを使用してRSおよびデータを基地局に送信することとをプロセッサに行わせるように動作可能であり得る。
【００２１】
ワイヤレス通信のための非一時的コンピュータ可読媒体について説明する。非一時的コンピュータ可読媒体は、第1のTTIに対するアップリンクリソースの割振りを基地局から受信することであって、第1のTTIは無線サブフレームのスロット内に3つのOFDMシンボルを含む、受信することと、第1のTTIのためのRSおよびデータの構成を識別することと、RSおよびデータの構成に少なくとも部分的に基づいて割り振られたアップリンクリソースを使用してRSおよびデータを基地局に送信することとをプロセッサに行わせるように動作可能な命令を含み得る。
【００２２】
上記の方法、装置、および非一時的コンピュータ可読媒体のいくつかの例では、RS構成は、データ送信に使用されるべきであり得る第1のTTI内の1つまたは複数のOFDMシンボルロケーションと、DMRS送信に使用されるべきであり得る第1のTTI内の1つまたは複数のOFDMシンボルロケーションとを示す。
【００２３】
上記の方法、装置、および非一時的コンピュータ可読媒体のいくつかの例では、RS構成を識別することは、第1のTTI内で1つのデータシンボル、1つのRSシンボル、および1つの未使用シンボルを識別することを含む。上記の方法、装置、および非一時的コンピュータ可読媒体のいくつかの例では、第1のTTIの最初のシンボルは第1のTTIがサブフレームの始端に位置し得るときに未使用シンボルであり得、第1のTTIの最後のシンボルは第1のTTIがサブフレームの終端に位置し得るときに未使用シンボルであり得、あるいは第1のTTIの最初のシンボルまたは最後のシンボルのいずれかは第1のTTIがサブフレームの始端にも終端にも位置しないときに未使用シンボルであり得る。上記の方法、装置、および非一時的コンピュータ可読媒体のいくつかの例では、第1のTTIの最初のシンボルまたは最後のシンボルのいずれかは、第1のTTIがサブフレームの始端に位置するときに未使用シンボルである。
【００２４】
上記の方法、装置、および非一時的コンピュータ可読媒体のいくつかの例では、RS構成を識別することは、2つのデータシンボルおよび1つのRSシンボルを識別することを含む。上記の方法、装置、および非一時的コンピュータ可読媒体のいくつかの例では、2つのデータシンボルは、冗長情報を搬送するように構成され得る。上記の方法、装置、および非一時的コンピュータ可読媒体のいくつかの例では、2つのデータシンボルは、第1の巡回シフト(CS)を使用して巡回シフトされ得る制御データを有する第1のデータシンボルと、第1のCSとは異なる場合がある第2のCSを使用して巡回シフトされ得る同じ制御データを有する第2のデータシンボルとを含む。上記の方法、装置、および非一時的コンピュータ可読媒体のいくつかの例では、2つのデータシンボルは、第1のスクランブルシーケンスを使用してスクランブルされ得る制御データを有する第1のデータシンボルと、第2のスクランブルシーケンスを使用してスクランブルされ得る同じ制御データを有する第2のデータシンボルとを含む。上記の方法、装置、および非一時的コンピュータ可読媒体のいくつかの例では、2つのデータシンボルは自己復号可能であり得る。
【００２５】
上記の方法、装置、および非一時的コンピュータ可読媒体のいくつかの例では、2つのデータシンボルは、非冗長情報を搬送するように構成され得る。上記の方法、装置、および非一時的コンピュータ可読媒体のいくつかの例は、第1の数のバンドリング動作を使用して第1のTTIを送信することと、バンドリング動作の第1の数より大きくてもよい第2の数のバンドリング動作を使用して、サブフレームのスロット内に2つのOFDMシンボルを含む第2のTTIを送信することとを行うためのプロセス、特徴、手段、または命令をさらに含んでもよい。上記の方法、装置、および非一時的コンピュータ可読媒体のいくつかの例は、第1の数のフィードバック肯定応答ビットを有する第1のTTIを送信することと、フィードバック肯定応答ビットの第1の数より小さくてもよい第2の数のフィードバック肯定応答ビットを有する第2のTTIを送信することとを行うためのプロセス、特徴、手段、または命令をさらに含んでもよい。上記の方法、装置、および非一時的コンピュータ可読媒体のいくつかの例は、豊富なCSIプロセスを用いて第1のTTIを送信することと、制限されたCSIプロセスを用いて第2のTTIを送信することとを行うためのプロセス、特徴、手段、または命令をさらに含んでもよい。
【００２６】
上記の方法、装置、および非一時的コンピュータ可読媒体のいくつかの例は、RS構成を含むRRCシグナリングを受信するためのプロセス、特徴、手段、または命令をさらに含んでもよい。上記の方法、装置、および非一時的コンピュータ可読媒体のいくつかの例では、受信することは、RS構成をアップリンクリソースの割振りの一部として受信することをさらに含む。上記の方法、装置、および非一時的コンピュータ可読媒体のいくつかの例では、第1のTTIに対するRSは、2つのOFDMシンボルを有し得るサブフレームのスロット内の第2のTTIのより低密度のRSより高密度のRSであり得る。
【図面の簡単な説明】
【００２７】
【図１】本開示の態様による、sTTIを用いたデータおよび基準信号送信のための構成をサポートするワイヤレス通信のためのシステムの一例を示す図である。
【図２】本開示の態様による、sTTIを用いたデータおよび基準信号送信のための構成をサポートするワイヤレス通信システムの一例を示す図である。
【図３】本開示の態様による、sTTIを用いたデータおよび基準信号送信のための構成をサポートするスロット整合sTTIに対するsTTIパターンの一例を示す図である。
【図４】本開示の態様による、sTTIを用いたデータおよび基準信号送信のための構成をサポートする3シンボルsTTIデータおよびDMRSパターンの一例を示す図である。
【図５】本開示の態様による、sTTIを用いたデータおよび基準信号送信のための構成をサポートする3シンボルsTTIデータおよびDMRSパターンの別の例を示す図である。
【図６】本開示の態様による、sTTIを用いたデータおよび基準信号送信のための構成をサポートする3シンボルsTTIデータおよびDMRSパターンの別の例を示す図である。
【図７】本開示の態様による、sTTIを用いたデータおよび基準信号送信のための構成をサポートするプロセスフローの一例を示す図である。
【図８】本開示の態様による、sTTIを用いたデータおよび基準信号送信のための構成をサポートするデバイスのブロック図である。
【図９】本開示の態様による、sTTIを用いたデータおよび基準信号送信のための構成をサポートするデバイスのブロック図である。
【図１０】本開示の態様による、sTTIを用いたデータおよび基準信号送信のための構成をサポートするデバイスのブロック図である。
【図１１】本開示の態様による、sTTIを用いたデータおよび基準信号送信のための構成をサポートする基地局を含むシステムのブロック図である。
【図１２】本開示の態様による、sTTIを用いたデータおよび基準信号送信のための構成をサポートするデバイスのブロック図である。
【図１３】本開示の態様による、sTTIを用いたデータおよび基準信号送信のための構成をサポートするデバイスのブロック図である。
【図１４】本開示の態様による、sTTIを用いたデータおよび基準信号送信のための構成をサポートするデバイスのブロック図である。
【図１５】本開示の態様による、sTTIを用いたデータおよび基準信号送信のための構成をサポートするUEを含むシステムのブロック図である。
【図１６】本開示の態様による、sTTIを用いたデータおよび基準信号送信のための構成に対する方法を示す図である。
【図１７】本開示の態様による、sTTIを用いたデータおよび基準信号送信のための構成に対する方法を示す図である。
【図１８】本開示の態様による、sTTIを用いたデータおよび基準信号送信のための構成に対する方法を示す図である。
【発明を実施するための形態】
【００２８】
様々な例の改善された方法、システム、デバイス、または装置が、低レイテンシワイヤレス通信システムにおけるsTTIを用いたデータおよび基準信号送信のための構成をサポートするために使用され得る。低レイテンシ通信に対して割り振られるリソースは、1msTTI持続時間を使用し得る高速大容量(eMBB)送信など、比較的レイテンシに鈍感であり得る通信のTTIに対して低減された長さを有するsTTIを使用するアップリンクおよびダウンリンクの通信のために使用され得る。sTTIを使用する通信は、場合によっては、たとえば、ワイヤレスサブフレームのスロットに対応するsTTI持続時間、または2つもしくは3つの直交周波数分割多重(OFDM)シンボルに対応するsTTI持続時間を使用し得る。場合によっては、sTTIは、1msのTTIのスロットの境界の中の、またはその境界と整合した境界を有するように構成されてもよく、そのようなsTTIは、スロット整合sTTIと呼ばれることがある。いくつかの例では、sTTIは2つまたは3つのOFDMシンボルにまたがってもよく、各スロットは2つの2シンボルTTIと1つの3シンボルTTIとを有してもよい。そのようにして、通常巡回プレフィックスを使用するスロットのすべての7つのシンボルが利用されてもよく、システムリソースは、7シンボルスロット内に3つの2シンボルsTTIが含まれる場合に対してより効率的に利用され得る。
【００２９】
本明細書で開示する様々な技法は、3つのOFDMシンボルを有するsTTIにおけるデータおよびRSの送信のための構成を提供し得る。場合によっては、アップリンクリソースは、sTTI(たとえば、低レイテンシ送信または高信頼送信)を使用して行われるべきアップリンク送信に対して識別され得る。sTTI内の1つまたは複数のRSシンボルおよび1つまたは複数のデータシンボルのロケーションを含むRS構成が識別され得る。RS構成は、アップリンクリソースの割振りとともに、割り振られたアップリンクリソースを使用してアップリンク通信を送信し得るUEに提供され得る。
【００３０】
場合によっては、RS構成は、1つのデータシンボルと、1つのRSシンボルと、1つの未使用シンボルまたはヌルシンボルとを有する3シンボルsTTIを提供する。いくつかの例では、未使用シンボルは、sTTIがサブフレームの始端に位置するときにサブフレームの始端に位置してもよく、それにより、よりゆったりした処理タイムラインまたはRF成分切替えタイムラインがサブフレームの始端において与えられ、そのことは、たとえば、マシンタイプ通信(MTC)タイプのUEなど、いくつかのタイプのUEに対して有益であり得る。いくつかの例では、未使用シンボルはサブフレームの終端に位置してもよく、そのことは、サウンディング基準信号(SRS)がサブフレームの最後のシンボルを使用して送信されるべきである場合に有益であり得る。sTTIがサブフレームの最初のシンボルまたは最後のシンボルを含まない場合には、未使用シンボルは、sTTIのどのシンボル内にも配置され得ない。
【００３１】
場合によっては、RS構成は、2つのデータシンボルと1つのRSシンボルとを有する3シンボルsTTIを提供する。いくつかの例では、2つのデータシンボルは、sTTIに対するカバレージを拡大するために使用され得る。いくつかの例では、冗長データが2つのデータシンボルの各々の中に送られてもよく、2つのデータシンボルは、sTTIの受信復号が成功する可能性を高めるために、受信基地局において組み合わされてもよい。場合によっては、sTTIの異なるデータシンボルが異なる巡回シフトを使用してもよく、そのことは、干渉を緩和することに役立ち得る。追加または代替として、sTTIの異なるデータシンボルが異なるスクランブルシーケンスを使用してもよく、そのことも、干渉を緩和することに役立ち得る。場合によっては、sTTIの各データシンボルは自己復号可能であり得る。
【００３２】
場合によっては、RS構成は、2つのデータシンボルと1つのRSシンボルとを有する3シンボルsTTIを提供し、2つのデータシンボルは、sTTIに対するデータ容量を拡大するために使用され得る。いくつかの例では、非冗長データが、2つのデータシンボルの各々の中に送られてもよい。場合によっては、sTTIに対するバンドリング動作の数は、2シンボルsTTIに使用され得るバンドリング動作の数に対して低減される場合がある。場合によっては、3シンボルsTTIに対するフィードバックビット(たとえば、HARQ ACK/NACKビット)の数が、2シンボルsTTIに対するフィードバックビットの数に対して増加される場合がある。いくつかの例では、3シンボルsTTIは豊富なCSIを送信するために使用されてもよく、2シンボルsTTIは制限されたCSIを送信するように構成されてもよい。
【００３３】
いくつかの例では、DMRS構成などのRS構成は、基地局によって動的に識別されてUEにシグナリングされる場合がある。場合によっては、2つ以上のUEからの基準信号は、(たとえば、各UEにおいて異なる巡回シフトを適用することによって、または異なるUEにsTTIの異なるRSシンボルを割り当てることを介して)多重化され、sTTIのための基準信号リソースを使用して送信されてもよい。RS構成技法は、短縮物理アップリンク制御チャネル(sPUCCH)送信のために使用され得る。場合によっては、RS構成技法は、アップリンク制御情報(UCI)を搬送し得る短縮物理アップリンク共有チャネル(sPUSCH)送信のために使用され得る。
【００３４】
場合によっては、3シンボルsTTIに対する基準信号密度は、2シンボルsTTIの基準信号密度より高い場合がある。場合によっては、3シンボルsTTIは、2つのRSシンボルと1つのデータシンボルとで構成される場合がある。1つのUEは、RSを第1のRSシンボル上で送信するように構成されてもよく、第2のUEは、RSを第2のRSシンボル上で送信するように構成されてもよい。いくつかの例では、2つのUEが、両RSシンボルを一緒に使用してもよく、異なる巡回シフトを使用してRSを送信してもよい。他の例では、各RSシンボルは複数のインターレースで構成されてもよく、異なるUEが、構成されたインターレースのうちの1つまたは複数の上でRSを送信してもよい。
【００３５】
そのような低レイテンシ通信は、たとえば、通信の性質に応じて選択され得る、データ通信に対する複数の異なるサービスをサポートし得るシステム内で使用され得る。たとえば、ミッションクリティカル(MiCr)通信と呼ばれることがある低レイテンシおよび高信頼を必要とする通信は、sTTIを使用するより低レイテンシサービス(たとえば、超高信頼低遅延(URLLC)サービス)を通してサービスされ得る。対応して、より遅延トレラントである通信は、1msTTIを使用するモバイルブロードバンドサービス(たとえば、高速大容量(eMBB)サービス)など、いくぶんより高いレイテンシとともに比較的より高いスループットを提供するサービスを通してサービスされ得る。他の例では、通信は、他のデバイス(たとえば、計量器、車両、電化製品、機械など)の中に組み込まれるUEと行う場合があり、マシンタイプ通信(MTC)サービス(たとえば、超大量端末(mMTC))がそのような通信に使用される場合がある。場合によっては、異なるサービス(たとえば、eMBB、URLLC、mMTC)は、異なるTTI、異なるサブキャリア(またはトーン)スペーシング、および異なる巡回プレフィックスを有する場合がある。
【００３６】
本開示は、高帯域幅の動作、より多数の動的サブフレームタイプ/スロット、および(サブフレーム/スロットの終端部の前にサブフレーム/スロットのためのHARQフィードバックが送信され得る)自己完結型のサブフレーム/スロットタイプなどの特徴をサポートするように設計されている次世代ネットワーク(たとえば、5GまたはNRネットワーク)に関して様々な技法を説明する。しかしながら、そのような技法は、異なる長さのTTIがワイヤレス通信システム内で送信され得る任意のシステムのために使用され得る。
【００３７】
本開示の態様について、最初にワイヤレス通信システムの文脈で説明する。本開示の態様は、さらに、sTTIを用いたデータおよび基準信号送信のための構成に関する装置図、システム図、およびフローチャートによって示され、それらに関して説明される。
【００３８】
図1は、本開示の様々な態様による、ワイヤレス通信システム100の一例を示す。ワイヤレス通信システム100は、基地局105と、UE115と、コアネットワーク130とを含む。いくつかの例では、ワイヤレス通信システム100は、LTE(またはLTEアドバンスト)ネットワークまたはニューラジオ(NR)ネットワークであり得る。場合によっては、ワイヤレス通信システム100は、拡張ブロードバンド通信、超高信頼(たとえば、ミッションクリティカル)通信、低レイテンシ通信、および低コストで低複雑度のデバイスを伴う通信をサポートし得る。ワイヤレス通信システム100は、sTTIを使用するときに、復調基準信号(DMRS)送信などの基準信号送信の構成を提供し得る。
【００３９】
基地局105は、1つまたは複数の基地局アンテナを介してUE115とワイヤレス通信し得る。各基地局105は、それぞれの地理的カバレッジエリア110に通信カバレッジを提供し得る。ワイヤレス通信システム100に示されている通信リンク125は、UE115から基地局105へのアップリンク(UL)送信、または基地局105からUE115へのダウンリンク(DL)送信を含み得る。制御情報およびデータは、様々な技法に従ってアップリンクチャネルまたはダウンリンク上で多重化され得る。制御情報およびデータは、たとえば、時分割多重(TDM)技法、周波数分割多重(FDM)技法、またはハイブリッドTDM-FDM技法を使用して、ダウンリンクチャネル上で多重化され得る。いくつかの例では、ダウンリンクチャネルのTTIの間に送信される制御情報は、カスケード式に異なる制御領域の間に(たとえば、共通の制御領域と1つまたは複数のUE固有の制御領域との間に)分散され得る。
【００４０】
UE115は、ワイヤレス通信システム100全体にわたって分散され得、各UE115は固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人向け電子デバイス、ハンドヘルドデバイス、パーソナルコンピュータ、ワイヤレスローカルループ(WLL)局、Internet of things(IoT)デバイス、Internet of Everything(IoE)デバイス、マシンタイプ通信(MTC)デバイス、家電機器、自動車、ドローンなどであり得る。
【００４１】
場合によっては、UE115はまた、他のUE(たとえば、ピアツーピア(P2P)プロトコルまたはデバイス間(D2D:device-to-device)プロトコルを使用して)と直接通信することが可能であり得る。MTCデバイスまたはIoTデバイスなど、いくつかのUE115は、低コストまたは低複雑度のデバイスである場合があり、機械間の自動化された通信、すなわち機械間(M2M:Machine-to-Machine)通信を提供し得る。M2MまたはMTCは、人が介在することなく、デバイスが互いとまたは基地局と通信することを可能するデータ通信技術を指す場合がある。MTCデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金がある。
【００４２】
場合によっては、MTCデバイスは、低減されたピークレートで半二重(一方向)通信を使用して動作し得る。MTCデバイスはまた、アクティブ通信に関与していないとき、電力節約「ディープスリープ」モードに入るように構成され得る。場合によっては、MTCデバイスまたはIoTデバイスはミッションクリティカル機能をサポートするように設計されてもよく、ワイヤレス通信システムはこれらの機能に対する超高信頼低遅延通信を提供するように構成され得る。
【００４３】
基地局105は、コアネットワーク130と、また互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)のいずれかで互いと通信し得る。基地局105は、UE115との通信のための無線構成およびスケジューリングを実施し得るか、または基地局コントローラ(図示せず)の制御下で動作し得る。いくつかの例では、基地局105は、マクロセル、スモールセル、ホットスポットなどであり得る。基地局105は、LTE eNB、eLTE eNB、NR gNB、NR Node-B、NRアクセスノードのうちの一例であり、アクセスノードコントローラ(ANC)を含み得る。
【００４４】
基地局105は、バックホールリンク132(たとえば、S1、S2、NG-1、NG-2、NG-3、NG-C、NG-Uなど)を通じてコアネットワーク130とインターフェースすることができ、関連するカバレージエリア110内のUE115との通信のために無線構成およびスケジューリングを実行することができる。様々な例では、ネットワークデバイス105-bは、ワイヤード通信リンクまたはワイヤレス通信リンクであり得るバックホールリンク134(たとえば、X1、X2、Xnなど)を介して、直接、または間接的に(たとえば、コアネットワーク130を通して)のいずれかで、互いに通信し得る。各基地局105はまた、いくつかの他のネットワークデバイスを通していくつかのUE115と通信してもよく、ここでネットワークデバイスは、送受信ポイント(TRP)、分散ユニット(DU)、ラジオヘッド(RH)、リモートラジオヘッド(RRH)、またはスマートラジオヘッドの一例であり得る。
【００４５】
ワイヤレス通信システム100は、複数のセルまたはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどと呼ばれ得る。「キャリア」、「コンポーネントキャリア」、「セル」、および「チャネル」という用語は、本明細書では互換的に使用され得る。UE115は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【００４６】
場合によっては、ワイヤレス通信システム100は、拡張コンポーネントキャリア(eCC:enhanced component carrier)を利用してもよい。eCCは、より広い帯域幅、より短いシンボル持続時間、およびより短い送信時間間隔(TTI)を含む、1つまたは複数の特徴によって特徴付けられ得る。場合によっては、eCCは、キャリアアグリゲーション構成またはデュアル接続構成(たとえば、複数のサービングセルが準最適なまたは非理想的なバックホールリンクを有するとき)と関連付けられ得る。eCCはまた、無認可スペクトルまたは(2つ以上の事業者がスペクトルを使用することを許可される)共有スペクトルにおいて使用するために構成され得る。場合によっては、eCCは、他のCCのシンボル持続時間と比較して縮小されたシンボル持続時間の使用を含んでもよい、他のCCとは異なるシンボル持続時間を利用してもよい。より短いシンボル持続時間は、増加したサブキャリア間隔に関連付けられる。eCCを使用する、UE115または基地局105などのデバイスが、縮小されたシンボル持続時間(たとえば、16.67マイクロ秒)で、広帯域信号(たとえば、20、40、60、80MHzなど)を送信し得る。eCC中のTTIは、1つまたは複数のシンボルからなり得る。いくつかのケースでは、TTI持続時間(つまり、TTI中のシンボルの数)は可変であってよい。5GまたはNRキャリアはeCCと見なされ得る。
【００４７】
いくつかのケースでは、ワイヤレスシステム100は、認可無線周波数スペクトル帯域と無認可無線周波数スペクトル帯域の両方を使用し得る。たとえば、ワイヤレス通信システム100は、5GHz産業、科学、および医療(ISM)帯域などの無認可帯域においてLTEライセンス補助アクセス(LTE-LAA)もしくはLTE無認可(LTE U:LTE Unlicensed)無線アクセス技術またはNR技術を用いることができる。無認可無線周波数スペクトル帯域で動作するとき、基地局105およびUE115などのワイヤレスデバイスは、データを送信する前にチャネルがクリアであることを保証するためにリッスンビフォアトーク(LBT)手順を用いることができる。場合によっては、無認可帯域における動作は、認可帯域において動作するコンポーネントキャリア(CC)と連携したキャリアアグリゲーション(CA)構成に基づき得る。無認可スペクトルにおける動作は、ダウンリンク送信、アップリンク送信、または両方を含み得る。無認可スペクトルにおける複信は、周波数分割複信(FDD)、時分割複信(TDD)、または両方の組合せに基づいてもよい。
【００４８】
LTEまたはNRにおける時間間隔は、(Ts=1/30,720,000秒のサンプリング周期であり得る)基本時間単位の倍数で表され得る。LTE/LTE-A内の時間リソースは、0から1023の範囲のシステムフレーム番号(SFN)によって識別され得る、10msの長さの無線フレーム(Tf =307200Ts)に従って編成されてよい。各フレームは、0から9の番号が付けられた10個の1msサブフレームを含み得る。サブフレームはさらに、2つの0.5msのスロットへと分割されることがあり、これらの各々が、6個または7個の変調シンボル期間(各シンボルの先頭に追加される巡回プレフィックスの長さに依存する)を含む。巡回プレフィックスを除くと、各シンボルは2048個のサンプル期間を含む。場合によっては、サブフレームは、TTIとしても知られる最小のスケジューリング単位であり得る。他の場合、TTIはサブフレームよりも短いことがあり、または(たとえば、sTTIバーストにおいて、またはsTTIを使用する選択されたコンポーネントキャリアにおいて)動的に選択されることがある。本明細書で説明する様々な例は、UE115からのアップリンク通信に対して効率的で高信頼のRSおよびデータの送信を提供するために使用され得るsTTIのための基準信号構成を提供し得る、短縮されたTTIのための技法を提供する。
【００４９】
図2は、sTTIを用いたデータおよび基準信号送信のための構成のためのワイヤレス通信システム200の一例を示す。ワイヤレス通信システム200は、図1に関して上記で説明したUE115の態様の例であり得る、基地局105-aおよびUE115-aを含む。図2の例では、ワイヤレス通信システム200は、5GまたはNR RATなど、無線アクセス技術(RAT)に従って動作し得るが、本明細書で説明する技法は、任意のRATに、および2つ以上の異なるRATを同時に使用し得るシステムに適用され得る。
【００５０】
基地局105-aは、キャリア205を介してUE115-aと通信し得る。いくつかの例では、基地局105-aは、キャリア205を介するUEとの通信に対してリソースを割り振る場合がある。たとえば、基地局105-aは、UE115-aとの通信に対してサブフレーム210を割り振る場合があり、1つまたは複数のサブフレーム210は、1msのレガシーLTE TTIに対応する場合がある。この例では、サブフレーム210は、第1のサブフレーム210-aと、第2のサブフレーム210-bと、第3のサブフレーム210-cとを含み得る。サブフレーム210の各々は2つのスロットを含んでもよく、各スロットは通常巡回プレフィックスに対して7つのシンボルを有してもよい。この例では、第1のスロット(スロット0)220および第2のスロット(スロット1)225は、第1のサブフレーム210-a内に含まれ得る。
【００５１】
上記のように、低レイテンシシステムのアップリンクでは、異なるsTTI長さが、キャリア205を介して送信するために使用され得る。たとえば、2シンボルsTTIおよび1スロットsTTIの持続時間は、物理アップリンク制御チャネル(PUCCH)および物理アップリンク共有チャネル(PUSCH)の送信(または短縮されたPUCCH(sPUCCH)および短縮されたPUSCH(sPUSCH)の送信)に対してサポートされ得る。したがって、第1のスロット220または第2のスロット225の中に、2つまたは3つのOFDMシンボル持続時間をそれぞれ有し得る第1のsTTI(TTI-0)230、第2のsTTI(TTI-1)235、および第3のsTTI(TTI-2)240など、複数のsTTIが存在し得る。本明細書で説明する様々な例はアップリンク通信に関して説明されるが、いくつかの例では、そのような技法はダウンリンク通信にも適用され得る。2シンボルsTTIが使用されるとき、場合によっては、sTTI境界が、第1のスロット220または第2のスロット225の境界などのスロット境界の中にあるかまたはスロット境界と整合される、固定sTTI構造を有することが望ましい場合があり、固定sTTI構造はスロット整合sTTIと呼ばれることがある。上記で説明したように、通常CPを使用するとき、7つのシンボルは各スロット220〜225の中に含まれ、したがって各スロットはスロット整合sTTIに対して3つのsTTIを含み得る。場合によっては、sTTIのうちの1つは、各スロットの各シンボルを効率的に利用するために、3シンボルTTIとして構成される場合がある。そのような場合、スロット220〜225の終端に、またはスロット220〜225の始端に位置する3シンボルTTIを有するような異なるパターンが検討され得る。
【００５２】
本開示の様々な態様は、sTTIに対するRSおよびデータの送信のための構成を提供する。いくつかの例では、RS構成は、十分なRS送信とともに効率的なデータ送信を提供するように、動的に構成され得る。場合によっては、3シンボルsTTIは、1つのデータシンボル、1つのRSシンボル、および1つの未使用シンボルで構成される場合がある。他の場合には、3シンボルsTTIは、2つのデータシンボルと1つのRSシンボルとで構成されてもよく、それらのシンボルは、sTTIのカバレージおよび/または容量を拡大するために使用され得る。さらなる場合には、3シンボルsTTIは、1つのデータシンボルと1つのRSシンボルとで構成されてもよく、それらのシンボルは、sTTIのRS密度を高めるために使用され得る。
【００５３】
図3は、sTTIを用いたデータおよび基準信号送信用に構成され得るスロット整合sTTIパターン300の一例を示す。スロット整合sTTIパターン300は、図1および図2に関して上記で説明したように、UEと基地局との間の低レイテンシ通信のために使用され得る。サブフレーム310は、アップリンク通信に対して割り振られたリソースを有し得る。サブフレーム310は、レガシーLTEスロットに対応し得る第1のスロット(スロット0)315および第2のスロット(スロット1)320の2つのスロットを含み得る。各スロット315および320は、低レイテンシ通信に対して割り振られたスロット整合sTTIを含み得る。各スロット315および320は、第1のTTI(TTI-0)325、第2のTTI(TTI-1)330、および第3のTTI(TTI-2)335を含む3つのsTTIを含み得る。いくつかの例では、TTI325〜335は、3-2-2スロットアライメント340において整合されてもよく、そこにおいて、第1のTTI325は3つのシンボルを含み、第2のTTI330は2つのシンボルを含み、第3のTTI335は2つのシンボルを含み得る。
【００５４】
他の例では、TTI325〜335は、2-2-3スロットアライメント345において整合されてもよく、そこにおいて、第1のTTI325は2つのシンボルを含み、第2のTTI330は2つのシンボルを含み、第3のTTI335は3つのシンボルを含み得る。他の例では、TTI325〜335は、2-3-2スロットアライメント350において整合されてもよく、そこにおいて、第1のTTI325は2つのシンボルを含み、第2のTTI330は3つのシンボルを含み、第3のTTI335は2つのシンボルを含み得る。当然、他の整合パターンが通信のために使用されてもよく、図示のスロットアライメント340〜350は、例示と説明のために提供されている。加えて、第1のスロット315は、第2のスロット320とは異なるスロットアライメントを使用してもよい。たとえば、第1のスロット315および第2のスロット320の各々は、3-2-2スロットアライメント340を使用してもよく、または2-2-3スロットアライメント345を使用してもよい。代替的に、第1のスロット315は3-2-2スロットアライメント340を使用してもよく、第2のスロットは2-2-3スロットアライメント345を使用してもよい。異なるスロットアライメントを有する組合せを含めて、他の組合せが同様に使用されてもよい。
【００５５】
上記からわかるように、sTTIが1msのサブフレーム内のスロット境界を横切らないことを確実にするために、2シンボルと3シンボルの両sTTIは、1つのスロット内で使用され得る。様々な例では、RSシンボルおよびデータシンボルの配置は、効率的な通信を提供するように構成され得る。RS構成は、十分なRS送信とともに効率的なデータ送信を提供するように、動的に構成され得る。場合によっては、3シンボルsTTIは、1つのデータシンボル、1つのRSシンボル、および1つの未使用シンボルで構成されてもよい。他の場合には、3シンボルsTTIは、2つのデータシンボルと1つのRSシンボルとで構成されてもよく、それらのシンボルは、sTTIのカバレージおよび/または容量を拡大するために使用され得る。さらなる場合には、3シンボルsTTIは、1つのデータシンボルと1つのRSシンボルとで構成されてもよく、それらのシンボルは、sTTIのRS密度を高めるために使用され得る。
【００５６】
図4は、sTTIを用いたデータおよび基準信号送信のための構成のためのRSパターン400の一例を示す。RSパターン400は、図1および図2に関して上記で説明したように、UE115と基地局105との間のアップリンク送信におけるRS構成として使用され得る。
【００５７】
上記のように、いくつかの例では、3シンボルsTTIは、1つのデータシンボル、1つのRSシンボル、および1つの未使用シンボルまたはヌルシンボルで構成される場合がある。図4の一例では、3シンボルsTTIは、パターン1-a 420として示すように、未使用シンボルまたはヌルシンボルであるように構成された第1のシンボル405と、DMRS送信などのRS送信用に構成された第2のシンボル410と、データ送信用に構成された第3のシンボル415とを含み得る。別の例では、3シンボルsTTIは、パターン1-b 440として示す、未使用シンボルまたはヌルシンボルであるように構成された第1のシンボル425と、データ送信用に構成された第2のシンボル430と、RS送信用に構成された第3のシンボル435とを含み得る。第3の例では、3シンボルsTTIは、パターン1-c 460として示す、データ送信用に構成された第1のシンボル445と、RS送信用に構成された第2のシンボル450と、未使用シンボルまたはヌルシンボルであるように構成された第3のシンボル455とを含み得る。第4の例では、3シンボルsTTIは、パターン1-d 480として示す、DMRS送信用に構成された第1のシンボル465と、データ送信用に構成された第2のシンボル470と、未使用シンボルまたはヌルシンボルであるように構成された第3のシンボル475とを含み得る。他のパターンが使用されてもよく、RSパターン400は、他のパターンが場合によっては望ましいことがあり得るという理解とともに図示し、説明する目的で提供されている。
【００５８】
いくつかの例では、未使用シンボルは、sTTIがサブフレームの始端に位置するときにパターン1-a 420またはパターン1-b 440に示すようにサブフレームの始端に位置してもよく、それにより、よりゆったりした処理タイムラインまたはRF成分切替えタイムラインがサブフレームの始端において与えられ得る。いくつかの例では、未使用シンボルは、パターン1-c 460またはパターン1-d 480に示すようにサブフレームの終端に位置してもよく、そのことは、SRSがサブフレームの最後のシンボルを使用して送信されるべき場合に有益であり得る。sTTIがサブフレームの最初のシンボルまたは最後のシンボルを含まない場合には、未使用シンボルは、sTTIのどのシンボル内にも配置され得ない。いくつかの例では、1つのサブフレームから後続のサブフレームに遷移する場合、割り振られた帯域幅が変化してサブフレーム間に過渡期間をもたらし、その過渡期間が復調に影響を及ぼす場合がある。たとえば、2つのサブフレーム間に過渡期間が存在する事例では、2つのサブフレームのうちの第1のサブフレームの最後のシンボルと後続のサブフレームの最初のシンボルとが影響を受ける場合がある。この事例では、3シンボルsTTIの1つのデータシンボルと1つのRSシンボルとが保護されるべきである場合、未使用シンボルは、後続のサブフレームの第1のTTIの始端に位置してもよく、または第1のサブフレームの最後のTTIの終端に位置してもよい。3シンボルsTTIの1つのデータシンボルおよび1つのRSシンボルが保護されるべきでない場合、未使用シンボルは、後続のサブフレームの第1のTTIの終端に位置してもよく、または第1のサブフレームの最後のTTIの始端に位置してもよい。
【００５９】
上記のように構成されたパターンは、1msサブフレーム内のsTTIの他のロケーションなど、1つまたは複数の異なる要因に基づいて選択され得る。
【００６０】
図5は、sTTIを用いたデータおよび基準信号送信のための構成のためのRSパターン500の別の例を示す。RSパターン500は、図1および図2に関して上記で説明したように、UE115と基地局105との間のアップリンク送信におけるRS構成として使用され得る。
【００６１】
上記のように、いくつかの例では、3シンボルsTTIは、2つのデータシンボルと1つのRSシンボルとで構成される場合がある。図5の一例では、3シンボルsTTIは、パターン2-a 520として示すように、データ送信用に構成された第1のシンボル505と、DMRS送信などのRS送信用に構成された第2のシンボル510と、データ送信用に構成された第3のシンボル515とを含み得る。別の例では、3シンボルsTTIは、パターン2-b 540として示す、データ送信用に構成された第1のシンボル525と、データ送信用に構成された第2のシンボル530と、RS送信用に構成された第3のシンボル535とを含み得る。第3の例では、3シンボルsTTIは、パターン2-c 560として示す、RS送信用に構成された第1のシンボル545と、データ送信用に構成された第2のシンボル550と、データ送信用に構成された第3のシンボル555とを含み得る。
【００６２】
いくつかの例では、図5に示すRS構成は、sTTIに対するカバレージまたはデータ容量を拡大するために使用され得る3シンボルsTTIを提供し得る。いくつかの例では、2つのデータシンボルが、2つのデータシンボルの各々の中の冗長データの送信を通してsTTIに対するカバレージを拡大するために使用され得る。冗長データは、sTTIの受信復号が成功する可能性を高めるために、受信基地局において組み合わされてもよい。場合によっては、sTTIの異なるデータシンボルが異なる巡回シフトを使用してもよく、そのことは、干渉を緩和することに役立ち得る。追加または代替として、sTTIの異なるデータシンボルが異なるスクランブルシーケンスを使用してもよく、そのことも、干渉を緩和することに役立ち得る。場合によっては、sTTIの各データシンボルは自己復号可能であり得る。
【００６３】
いくつかの例では、非冗長データが、sTTIの容量を拡大するために、2つのデータシンボルの各々の中に送られる場合がある。場合によっては、sTTIに対するハイブリッド自動再送要求(HARQ)バンドリング動作の数は、2シンボルsTTIに使用され得るHARQバンドリング動作の数に対して低減される場合がある。他の例では、拡大された容量を提供する3シンボルsTTIは、HARQ ACK/NACKフィードバックビットなど、異なるフィードバックビットを有する場合がある。たとえば、MIMOモードにおけるUEは、3シンボルsTTIを使用する2ビットACKを有してもよいが、2シンボルsTTIが使用されるときは(2HARQビットの空間バンドリングとともに)1ビットを有してもよい。他の例では、低レイテンシ通信に対するキャリアアグリゲーションを使用するUEは、3シンボルsTTI内により多くのHARQビットを有し、2シンボルsTTI内により少ないHARQビットを有する場合がある。加えて、場合によっては、UEは、3シンボルsTTI内に豊富なCSIを提供し、2シンボルsTTI内に制限されたCSIを提供するCSIプロセスを実行する場合がある。
【００６４】
図6は、sTTIを用いたデータおよび基準信号送信のための構成のためのRSパターン600の一例を示す。RSパターン600は、図1および図2に関して上記で説明したように、UE115と基地局105との間のアップリンク送信におけるRS構成として使用され得る。
【００６５】
上記のように、いくつかの例では、3シンボルsTTIは、2つのRSシンボルと1つのデータシンボルとで構成される場合がある。図6の一例では、3シンボルsTTIは、パターン3-a 620として示すように、DMRS送信などのRS送信用に構成された第1のシンボル605と、RS送信用に構成された第2のシンボル610と、データ送信用に構成された第3のシンボル615とを含み得る。別の例では、3シンボルsTTIは、パターン3-b 640として示す、RS送信用に構成された第1のシンボル625と、データ送信用に構成された第2のシンボル630と、RS送信用に構成された第3のシンボル635とを含み得る。第3の例では、3シンボルsTTIは、パターン3-c 660として示す、データ送信用に構成された第1のシンボル645と、RS送信用に構成された第2のシンボル650と、データ送信用に構成された第3のシンボル655とを含み得る。
【００６６】
いくつかの例では、図6に示すRS構成は、sTTIに対するRS密度を高めるために使用され得る3シンボルsTTIを提供し得る。たとえば、第1のUEは、RSを第1のRSシンボル上で送信するように構成されてもよく、第2のUEは、RSを第2のRSシンボル上で送信するように構成されてもよい。各UEは、RS送信のために全シンボルを使用してもよく、そのことで、向上したチャネル推定がもたらされ得る。他の例では、各RSシンボルは複数のインターレースで構成されてもよく、異なるUEが、構成されたインターレースのうちの1つまたは複数の上でRSを送信してもよい。いくつかの例では、2つのUEが、両RSシンボルを一緒に使用してもよく、異なる巡回シフトを使用してRSを送信してもよい。
【００６７】
いくつかの例では、DMRS構成などのRS構成は、基地局によって動的に識別されてUEにシグナリングされ得る。RS構成技法は、短縮物理アップリンク制御チャネル(sPUCCH)送信のために使用され得る。場合によっては、RS構成技法は、アップリンク制御情報(UCI)を搬送し得る短縮物理アップリンク共有チャネル(sPUSCH)送信のために使用され得る。
【００６８】
図7は、sTTIを用いたデータおよび基準信号送信のための構成のためのプロセスフロー700の一例を示す。プロセスフロー700は、図1および図2を参照しながら説明した対応するデバイスの例であり得る基地局105-bおよびUE115-bを含み得る。基地局105-bおよびUE115-bは、ワイヤレス通信システムに対する確立された接続確立技法に従って接続705を確立し得る。いくつかの例では、UE115-bは、アップリンク制御情報(UCI)を送信してもよく、UCIは、送信のためのアップリンクデータの存在を示し、かつ同様に、データに対するサービスが低レイテンシサービスであるかまたはsTTIを使用し得る他のサービスであることを示し得る、バッファステータス報告(BSR)を含んでもよい。
【００６９】
ブロック715において、基地局105-bは、UE115-aによって送信されるべきアップリンク送信を識別し得る。たとえば、基地局105-bは、UE115-bによって示されるアップリンクデータが送信のためにいくつかのsTTIを必要とすることを識別し得、それらのsTTIは、基地局105-bとUE115-bとの間のチャネル条件、送信に使用されるチャネルによってサポートされるMCS、MIMO構成など、様々な要因に基づいて決定され得る。
【００７０】
ブロック720において、基地局は、1つまたは複数のsTTIのためのRSおよびデータの構成を識別し得る。そのようなRS構成は、上記で説明したように、サブフレーム内のいくつかのロケーションにおいて未使用シンボルを与えるため、sTTIの拡大されたカバレージまたは容量を与えるため、あるいはsTTIに対する高められたRS密度を与えるために識別され得る。
【００７１】
ブロック725において、いくつかの例では、基地局105-bは識別されたsTTIに対してアップリンクリソースを割り振ってもよく、そのことは少なくとも第1のsTTIに対する割振りを含み得る。リソースの割振りは、UEバッファ内にあるデータ、データ(たとえば、URLLCデータ)に関連付けられたサービス、およびUE115-bに関連付けられたチャネル条件に基づいて決定された得る。たとえば、UE115-bが基地局105-bに比較的近く、かつ比較的低速度で移動している(かまたは、まったく動かない)場合、基地局105-bは、増加した容量を与えるシーケンスを選択してもよい。代替的に、UE115-bが基地局105-bから比較的遠く(たとえば、セルエッジUE)、かつ/または比較的高速で移動している場合、基地局105-bは、sTTIに対して拡大されたカバレージを与え得るRS構成を選択してもよい。
【００７２】
基地局105-bは、ダウンリンク制御情報(DCI)730をUE115-bに送信し得る。DCI730は、たとえば、特定のsTTIに対する割り振られたアップリンクリソースおよびsTTIのためのRS構成を示すsPDCCHアップリンク許可を含み得る。UE115-bが複数のsTTIに対してスケジュールされるいくつかの場合には、異なるsTTIに対するアップリンクRS構成を動的にスケジュールする、複数のアップリンク許可が提供される場合がある。同じく、上記のように、場合によっては、第2のUE(図示せず)がUE115-bのDMRSと同時にRSを送信することを可能にするために、基地局105-bは、第2のUEにリソースを割り振る場合がある。そのような場合、第2のUEは、RS送信のために、UE115-bとは異なる巡回シフトまたは異なるインターレースを使用してもよい。
【００７３】
ブロック735において、UE115-aは、sTTIのためのRSおよびデータの構成を識別し得る。たとえば、UE115-aは、第1のsTTIに対するアップリンクリソースの割振りと、第1のsTTIのためのDMRS構成の表示とを含むDCI730を受信し得る。
【００７４】
ブロック740において、UE115-bは、sTTIに対するRSおよび/またはデータの送信を生成し得る。データ送信および/またはRSは、たとえば、DCI730内で与えられたアップリンク許可からの割り振られたリソースに基づいて生成され得る。次いで、UE115-bはアップリンク送信745を基地局105-bに送信してもよく、ブロック750において、基地局105-bは受信された信号の処理を実行してもよい。そのような処理は、1つのsTTIからまたは1つまたは複数の前に受信されたsTTIから送信されたDMRSを使用して、アップリンク送信745を復調することを含み得る。場合によっては、そのような処理は、肯定応答フィードバック処理(たとえば、HARQフィードバック)を含む場合がある。
【００７５】
図8は、本開示の様々な態様による、sTTIを用いたデータおよび基準信号送信のための構成をサポートするワイヤレスデバイス805のブロック図800を示す。ワイヤレスデバイス805は、図1を参照しながら説明したような基地局105の態様の一例であってもよい。ワイヤレスデバイス805は、受信機810と、基地局アップリンク通信マネージャ815と、送信機820とを含んでもよい。ワイヤレスデバイス805はまた、プロセッサを含んでもよい。これらの構成要素の各々は、(たとえば、1つまたは複数のバスを介して)互いに通信していてもよい。
【００７６】
受信機810は、パケット、ユーザデータ、または様々な情報チャネル(たとえば、制御チャネル、データチャネル、およびsTTIを用いたデータおよび基準信号送信のための構成に関連する情報など)に関連付けられた制御情報などの情報を受信し得る。情報は、デバイスの他の構成要素に渡されてよい。受信機810は、図11を参照しながら説明するトランシーバ1135の態様の一例であってよい。
【００７７】
基地局アップリンクリソースマネージャ815は、図11に関して説明する基地局アップリンクリソースマネージャ1115の態様の例であってもよい。
【００７８】
基地局アップリンク通信マネージャ815および/またはその様々なサブコンポーネントの少なくともいくつかは、ハードウェア、プロセッサによって実行されるソフトウェア、ファームウェア、またはそれらの任意の組合せで実装され得る。プロセッサによって実行されるソフトウェアで実装される場合、基地局アップリンク通信マネージャ815および/またはその様々なサブコンポーネントの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明した機能を実行するように設計されたそれらの任意の組合せによって実行され得る。いくつかの例では、基地局アップリンク通信マネージャ815および/またはその様々なサブコンポーネントの少なくともいくつかは、本開示の様々な態様による個別および別個の構成要素であり得る。他の例では、基地局アップリンク通信マネージャ815および/またはその様々なサブコンポーネントの少なくともいくつかは、限定はしないが、受信機、送信機、トランシーバ、本開示で説明した1つまたは複数の他の構成要素、または本開示の様々な態様によるそれらの組合せを含む、1つまたは複数の他のハードウェア構成要素と結合され得る。
【００７９】
基地局アップリンク通信マネージャ815は、サブフレームのスロット内に3つのOFDMシンボルを含む第1のTTI内のアップリンク制御チャネル送信に対してアップリンクリソースを割り振ることと、第1のTTIのためのRS構成を識別することと、アップリンク制御チャネル送信に対するアップリンク許可をUEに送信することとを行ってもよく、アップリンク許可は、第1のTTIに対する割り振られたアップリンクリソースのうちの少なくとも1つとRS構成との表示を含む。
【００８０】
送信機820は、デバイスの他の構成要素によって生成された信号を送信してもよい。いくつかの例では、送信機820は、トランシーバモジュールの中で受信機810と一緒に置かれてよい。たとえば、送信機820は、図11を参照しながら説明するトランシーバ1135の態様の例であってよい。送信機820は、単一のアンテナを含んでよく、またはアンテナのセットを含んでよい。
【００８１】
図9は、本開示の様々な態様による、sTTIを用いたデータおよび基準信号送信のための構成をサポートするワイヤレスデバイス905のブロック図900を示す。ワイヤレスデバイス905は、図1および図8を参照して説明されたようなワイヤレスデバイス805または基地局105の態様の例であり得る。ワイヤレスデバイス905は、受信機910と、基地局アップリンク通信マネージャ915と、送信機920とを含んでもよい。ワイヤレスデバイス905はまた、プロセッサを含んでもよい。これらの構成要素の各々は、(たとえば、1つまたは複数のバスを介して)互いに通信していてもよい。
【００８２】
受信機910は、パケット、ユーザデータ、または様々な情報チャネル(たとえば、制御チャネル、データチャネル、およびsTTIを用いたデータおよび基準信号送信のための構成に関連する情報など)に関連付けられた制御情報などの情報を受信し得る。情報は、デバイスの他の構成要素に渡されてよい。受信機910は、図11を参照しながら説明するトランシーバ1135の態様の一例であってよい。
【００８３】
基地局アップリンク通信マネージャ915は、図11に関して説明する基地局アップリンク通信マネージャ1115の態様の例であってもよい。基地局アップリンク通信マネージャ915はまた、リソース割振り構成要素925、TTI構成用構成要素930、およびアップリンク許可構成要素935を含み得る。
【００８４】
リソース割振り構成要素925は、サブフレームのスロット内に3つのOFDMシンボルを含む第1のTTI内のアップリンク制御チャネル送信に対してアップリンクリソースを割り振ってもよく、場合によっては、第1のTTIがサブフレームの始端に位置するのか、またはサブフレームの終端に位置するのかを決定してもよい。
【００８５】
TTI構成用構成要素930は、第1のTTIのためのRS構成を識別し得る。TTI構成用構成要素930は、たとえば、第1のTTIがサブフレームの始端に位置すると決定することに応答して第1のTTIの最初のシンボルを未使用シンボルとして選択すること、第1のTTIがサブフレームの終端に位置すると決定することに応答して第1のTTIの最後のシンボルを未使用シンボルとして選択すること、または第1のTTIがサブフレームの始端にも終端にも位置しないと決定することに応答して第1のTTIの最初のシンボルもしくは最後のシンボルのいずれかを未使用シンボルとして選択することを行ってもよい。場合によっては、TTI構成用構成要素930は、第1の数のHARQバンドリング動作を有する第1のTTIを構成することと、HARQバンドリング動作の第1の数より大きい第2の数のHARQバンドリング動作を有する、サブフレームのスロット内に2つのOFDMシンボルを含む第2のTTIを構成することとを行ってもよい。場合によっては、TTI構成用構成要素930は、第1の数のフィードバック肯定応答ビットを有する第1のTTIを構成することと、フィードバック肯定応答ビットの第1の数より小さい第2の数のフィードバック肯定応答ビットを有する第2のTTIを構成することとを行ってもよい。
【００８６】
場合によっては、基準信号構成を識別することは、UEのRS送信に対する第1のTTIの第1のOFDMシンボルを構成しかつ第2のUEのRS送信に対する第1のTTIの第2のOFDMシンボルを構成すること、またはUEのRS送信に対する第1のTTIの第1のOFDMシンボルおよび第2のOFDMシンボルの各々の第1のインターレースを構成しかつ第2のUEのRS送信に対する第1のTTIの第1のOFDMシンボルおよび第2のOFDMシンボルの各々の第2のインターレースを構成することを含む。場合によっては、RS構成を識別することは、2つのデータシンボルおよび1つのRSシンボルを識別することを含む。場合によっては、2つのデータシンボルは、冗長情報を搬送するように構成される。場合によっては、RS構成は、データ送信に使用されるべきである第1のTTI内の1つまたは複数のOFDMシンボルロケーションと、DMRS送信に使用されるべきである第1のTTI内の1つまたは複数のOFDMシンボルロケーションとを示す。場合によっては、2つのデータシンボルは、非冗長情報を搬送するように構成される。場合によっては、基準信号構成を識別することは、2つのOFDMシンボルを有するサブフレームのスロット内の第2のTTIのより低密度のRS構成に対して、第1のTTIのためのより高密度のRS構成を識別することを含む。場合によっては、2つのデータシンボルは自己復号可能である。
【００８７】
アップリンク許可構成要素935は、アップリンク制御チャネル送信に対するアップリンク許可をUEに送信してもよく、アップリンク許可は、第1のTTIに対する割り振られたアップリンクリソースのうちの少なくとも1つとRS構成との表示を含む。
【００８８】
送信機920は、デバイスの他の構成要素によって生成された信号を送信してもよい。いくつかの例では、送信機920は、トランシーバモジュールの中で受信機910と一緒に置かれてよい。たとえば、送信機920は、図11を参照しながら説明するトランシーバ1135の態様の一例であり得る。送信機920は、単一のアンテナを含んでよく、またはアンテナのセットを含んでよい。
【００８９】
図10は、本開示の様々な態様による、sTTIを用いたデータおよび基準信号送信のための構成をサポートする基地局アップリンク通信マネージャ1015のブロック図1000を示す。基地局アップリンク通信マネージャ1015は、図8、図9、および図11に関して説明する、基地局アップリンク通信マネージャ815、基地局アップリンク通信マネージャ915、または基地局アップリンク通信マネージャ1115の態様の一例であってもよい。基地局アップリンク通信マネージャ1015は、リソース割振り構成要素1020、TTI構成用構成要素1025、アップリンク許可構成要素1030、巡回シフト構成要素1035、スクランブル構成要素1040、チャネル状態情報(CSI)構成要素1045、および無線リソース制御(RRC)構成要素1050を含み得る。これらのモジュールの各々は、(たとえば、1つまたは複数のバスを介して)互いと直接または間接的に通信してもよい。
【００９０】
リソース割振り構成要素1020は、サブフレームのスロット内に3つのOFDMシンボルを含む第1のTTI内のアップリンク制御チャネル送信に対してアップリンクリソースを割り振ってもよく、第1のTTIがサブフレームの始端に位置するのか、またはサブフレームの終端に位置するのかを決定してもよい。
【００９１】
TTI構成用構成要素1025は、第1のTTIのためのRS構成を識別し得る。TTI構成用構成要素1025は、たとえば、第1のTTIがサブフレームの始端に位置すると決定することに応答して第1のTTIの最初のシンボルを未使用シンボルとして選択すること、第1のTTIがサブフレームの終端に位置すると決定することに応答して第1のTTIの最後のシンボルを未使用シンボルとして選択すること、または第1のTTIがサブフレームの始端にも終端にも位置しないと決定することに応答して第1のTTIの最初のシンボルもしくは最後のシンボルのいずれかを未使用シンボルとして選択することを行ってもよい。場合によっては、TTI構成用構成要素1025は、第1の数のHARQバンドリング動作を有する第1のTTIを構成することと、HARQバンドリング動作の第1の数より大きい第2の数のHARQバンドリング動作を有する、サブフレームのスロット内に2つのOFDMシンボルを含む第2のTTIを構成することとを行ってもよい。場合によっては、TTI構成用構成要素1025は、第1の数のフィードバック肯定応答ビットを有する第1のTTIを構成することと、フィードバック肯定応答ビットの第1の数より小さい第2の数のフィードバック肯定応答ビットを有する第2のTTIを構成することとを行ってもよい。
【００９２】
場合によっては、基準信号構成を識別することは、UEのRS送信に対する第1のTTIの第1のOFDMシンボルを構成しかつ第2のUEのRS送信に対する第1のTTIの第2のOFDMシンボルを構成すること、またはUEのRS送信に対する第1のTTIの第1のOFDMシンボルおよび第2のOFDMシンボルの各々の第1のインターレースを構成しかつ第2のUEのRS送信に対する第1のTTIの第1のOFDMシンボルおよび第2のOFDMシンボルの各々の第2のインターレースを構成することを含む。場合によっては、RS構成を識別することは、2つのデータシンボルおよび1つのRSシンボルを識別することを含む。場合によっては、2つのデータシンボルは、冗長情報を搬送するように構成される。場合によっては、RS構成は、データ送信に使用されるべきである第1のTTI内の1つまたは複数のOFDMシンボルロケーションと、DMRS送信に使用されるべきである第1のTTI内の1つまたは複数のOFDMシンボルロケーションとを示す。場合によっては、2つのデータシンボルは、非冗長情報を搬送するように構成される。場合によっては、基準信号構成を識別することは、2つのOFDMシンボルを有するサブフレームのスロット内の第2のTTIのより低密度のRS構成に対して、第1のTTIのためのより高密度のRS構成を識別することを含む。場合によっては、2つのデータシンボルは自己復号可能である。
【００９３】
アップリンク許可構成要素1030はアップリンク制御チャネル送信に対するアップリンク許可をUEに送信してもよく、アップリンク許可は、第1のTTIに対する割り振られたアップリンクリソースのうちの少なくとも1つとRS構成との表示を含む。
【００９４】
巡回シフト構成要素1035は、第1の巡回シフトシーケンスを使用して制御データを送信するように構成された第1のデータシンボルと、第2の巡回シフトシーケンスを使用して同じ制御データを送信するように構成された第2のデータシンボルとを与えるために、2つのデータシンボルに対して1つの巡回シフトを提供し得る。
【００９５】
スクランブル構成要素1040は、2つのデータシンボルが、第1のスクランブルシーケンスを使用して制御データを送信するように構成された第1のデータシンボルと、第2のスクランブルシーケンスを使用して同じ制御データを送信するように構成された第2のデータシンボルとを含むように、アップリンクデータのスクランブリングを提供し得る。
【００９６】
CSI構成要素1045は、豊富なCSIプロセスを用いて3シンボルTTIを構成してもよく、制限されたCSIプロセスを用いて2シンボルTTIを構成してもよい。RRC構成要素1050は、RS構成のRRCシグナリングをUEに提供し得る。
【００９７】
図11は、本開示の様々な態様による、sTTIを用いたデータおよび基準信号送信のための構成をサポートするデバイス1105を含むシステム1100の図を示す。デバイス1105は、たとえば、図1、図8、および図9に関して上記で説明したように、ワイヤレスデバイス805、ワイヤレスデバイス905、または基地局105の構成要素の例であり得るか、またはそれを含み得る。デバイス1105は、基地局アップリンク通信マネージャ1115と、プロセッサ1120と、メモリ1125と、ソフトウェア1130と、トランシーバ1135と、アンテナ1140と、ネットワーク通信マネージャ1145と、基地局通信マネージャ1150とを含む、通信を送信および受信するための構成要素を含む、双方向音声およびデータ通信のための構成要素を含んでもよい。これらの構成要素は、1つまたは複数のバス(たとえば、バス1110)を介して電気的に通信していることがある。デバイス1105は、1つまたは複数のUE115とワイヤレス通信し得る。
【００９８】
プロセッサ1120は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかのケースでは、プロセッサ1120は、メモリコントローラを使ってメモリアレイを操作するように構成され得る。他の場合には、メモリコントローラはプロセッサ1120の中に統合され得る。プロセッサ1120は、様々な機能(たとえば、sTTIを用いたデータおよび基準信号送信のための構成をサポートする機能またはタスク)を実行するために、メモリに記憶されたコンピュータ可読命令を実行するように構成され得る。
【００９９】
メモリ1125は、ランダムアクセスメモリ(RAM)と読取り専用メモリ(ROM)とを含み得る。メモリ1125は、実行されると、本明細書で説明される様々な機能をプロセッサに実行させる命令を含む、コンピュータ可読のコンピュータ実行可能ソフトウェア1130を記憶し得る。場合によっては、メモリ1125は、特に、周辺構成要素またはデバイスとの相互作用などの、基本的なハードウェアおよび/またはソフトウェア動作を制御し得る、基本入出力システム(BIOS)を含み得る。
【０１００】
ソフトウェア1130は、sTTIを用いたデータおよび基準信号送信のための構成をサポートするためのコードを含む、本開示の態様を実装するためのコードを含み得る。ソフトウェア1130は、システムメモリまたは他のメモリなどの非一時的コンピュータ可読媒体内に記憶されてもよい。場合によっては、ソフトウェア1130は、プロセッサによって直接実行可能ではないことがあるが、(たとえば、コンパイルされ、実行されると)本明細書で説明される機能をコンピュータに実行させ得る。
【０１０１】
トランシーバ1135は、上記のように、1つまたは複数のアンテナ、ワイヤードリンク、またはワイヤレスリンクを介して、双方向に通信し得る。たとえば、トランシーバ1135は、ワイヤレストランシーバを表すことがあり、別のワイヤレストランシーバと双方向に通信することがある。トランシーバ1135はまた、パケットを変調し、変調されたパケットを送信のためにアンテナに与え、アンテナから受信されたパケットを復調するためのモデムを含み得る。
【０１０２】
場合によっては、ワイヤレスデバイスは、単一のアンテナ1140を含み得る。しかしながら、場合によっては、デバイスは、複数のワイヤレス送信を同時に送信または受信することが可能であり得る複数のアンテナ1140を有し得る。
【０１０３】
ネットワーク通信マネージャ1145は、(たとえば、1つまたは複数のワイヤードバックホールリンクを介して)コアネットワークとの通信を管理することができる。たとえば、ネットワーク通信マネージャ1145は、1つまたは複数のUE115など、クライアントデバイスに対するデータ通信の転送を管理することができる。
【０１０４】
基地局通信マネージャ1150は、他の基地局105との通信を管理することができ、他の基地局105と協調してUE115との通信を制御するためのコントローラまたはスケジューラを含み得る。たとえば、基地局通信マネージャ1150は、ビームフォーミングまたはジョイント送信などの様々な干渉緩和技法のために、UE115への送信のためのスケジューリングを協調させ得る。いくつかの例では、基地局通信マネージャ1150は、基地局105間で通信を行うために、ロングタームエボリューション(LTE)/LTE-Aワイヤレス通信ネットワーク技術内のX2インターフェースを提供し得る。
【０１０５】
図12は、本開示の様々な態様による、sTTIを用いたデータおよび基準信号送信のための構成をサポートするワイヤレスデバイス1205のブロック図1200を示す。ワイヤレスデバイス1205は、図1を参照して説明されたようなUE115の態様の例であり得る。ワイヤレスデバイス1205は、受信機1210、UEアップリンク通信マネージャ1215、および送信機1220を含み得る。ワイヤレスデバイス1205はまた、プロセッサを含んでもよい。これらの構成要素の各々は、(たとえば、1つまたは複数のバスを介して)互いに通信していてもよい。
【０１０６】
受信機1210は、パケット、ユーザデータ、または様々な情報チャネル(たとえば、制御チャネル、データチャネル、およびsTTIを用いたデータおよび基準信号送信のための構成に関連する情報など)に関連付けられた制御情報などの情報を受信し得る。情報は、デバイスの他の構成要素に渡されてよい。受信機1210は、図15を参照しながら説明するトランシーバ1535の態様の一例であってよい。
【０１０７】
UEアップリンク通信マネージャ1215は、図15を参照して説明するUEアップリンク通信マネージャ1515の態様の一例であってもよい。
【０１０８】
UEアップリンク通信マネージャ1215および/またはその様々なサブコンポーネントの少なくともいくつかは、ハードウェア、プロセッサによって実行されるソフトウェア、ファームウェア、またはそれらの任意の組合せで実装され得る。プロセッサによって実行されるソフトウェアで実装される場合、UEアップリンク通信マネージャ1215および/またはその様々なサブコンポーネントの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明した機能を実行するように設計されたそれらの任意の組合せによって実行され得る。いくつかの例では、UEアップリンク通信マネージャ1215および/またはその様々なサブコンポーネントの少なくともいくつかは、本開示の様々な態様による、個別および別個の構成要素であり得る。他の例では、UEアップリンク通信マネージャ1215および/またはその様々なサブコンポーネントの少なくともいくつかは、限定はしないが、受信機、送信機、トランシーバ、本開示で説明した1つまたは複数の他の構成要素、または本開示の様々な態様によるそれらの組合せを含む、1つまたは複数の他のハードウェア構成要素と結合され得る。
【０１０９】
UEアップリンク通信マネージャ1215は、第1のTTIに対するアップリンクリソースの割振りを基地局から受信することであって、第1のTTIは無線サブフレームのスロット内に3つのOFDMシンボルを含む、受信することと、第1のTTIのためのRSおよびデータの構成を識別することと、RSおよびデータの構成に基づいて割り振られたアップリンクリソースを使用してRSおよびデータを基地局に送信することとを行い得る。
【０１１０】
送信機1220は、デバイスの他の構成要素によって生成された信号を送信してもよい。いくつかの例では、送信機1220は、トランシーバモジュールの中で受信機1210と一緒に置かれてよい。たとえば、送信機1220は、図15を参照しながら説明するトランシーバ1535の態様の一例であり得る。送信機1220は、単一のアンテナを含んでよく、またはアンテナのセットを含んでよい。
【０１１１】
図13は、本開示の様々な態様による、sTTIを用いたデータおよび基準信号送信のための構成をサポートするワイヤレスデバイス1305のブロック図1300を示す。ワイヤレスデバイス1305は、図1および図12に関して説明したワイヤレスデバイス1205またはUE115の態様の例であり得る。ワイヤレスデバイス1305は、受信機1310、UEアップリンク通信マネージャ1315、および送信機1320を含み得る。ワイヤレスデバイス1305はまた、プロセッサを含んでもよい。これらの構成要素の各々は、(たとえば、1つまたは複数のバスを介して)互いに通信していてもよい。
【０１１２】
受信機1310は、パケット、ユーザデータ、または様々な情報チャネル(たとえば、制御チャネル、データチャネル、およびsTTIを用いたデータおよび基準信号送信のための構成に関連する情報など)に関連付けられた制御情報などの情報を受信し得る。情報は、デバイスの他の構成要素に渡されてよい。受信機1310は、図15を参照しながら説明するトランシーバ1535の態様の一例であってよい。
【０１１３】
UEアップリンク通信マネージャ1315は、図15を参照して説明するUEアップリンク通信マネージャ1515の態様の一例であってもよい。UEアップリンク通信マネージャ1315はまた、リソース割振り構成要素1325、TTI構成用構成要素1330、およびアップリンク許可構成要素1335を含み得る。
【０１１４】
リソース割振り構成要素1325は、第1のTTIに対するアップリンクリソースの割振りを基地局から受信してもよく、第1のTTIは、無線サブフレームのスロット内に3つのOFDMシンボルを含む。
【０１１５】
TTI構成用構成要素1330は、第1のTTIのためのRSおよびデータの構成を識別し得る。場合によっては、RS構成を識別することは、第1のTTI内で、1つのデータシンボル、1つのRSシンボル、および1つの未使用シンボルを識別することを含む。場合によっては、第1のTTIの最初のシンボルは第1のTTIがサブフレームの始端に位置するときに未使用シンボルであり、第1のTTIの最後のシンボルは第1のTTIがサブフレームの終端に位置するときに未使用シンボルであり、あるいは第1のTTIの最初のシンボルまたは最後のシンボルのいずれかは第1のTTIがサブフレームの始端にも終端にも位置しないときに未使用シンボルである。場合によっては、RS構成を識別することは、2つのデータシンボルおよび1つのRSシンボルを識別することを含む。場合によっては、RS構成は、データ送信に使用されるべきである第1のTTI内の1つまたは複数のOFDMシンボルロケーションと、DMRS送信に使用されるべきである第1のTTI内の1つまたは複数のOFDMシンボルロケーションとを示す。場合によっては、2つのデータシンボルは自己復号可能である。場合によっては、2つのデータシンボルは、非冗長情報を搬送するように構成される。場合によっては、2つのデータシンボルは、冗長情報を搬送するように構成される。
【０１１６】
アップリンク許可構成要素1335は、RSおよびデータの構成に基づいて割り振られたアップリンクリソースを使用してRSおよびデータを基地局に送信するために、UEのためのリソースを識別し得る。場合によっては、RS構成は、アップリンクリソースの割振りの一部として受信される。
【０１１７】
送信機1320は、デバイスの他の構成要素によって生成された信号を送信してもよい。いくつかの例では、送信機1320は、トランシーバモジュールの中で受信機1310と一緒に置かれてよい。たとえば、送信機1320は、図15を参照しながら説明するトランシーバ1535の態様の一例であり得る。送信機1320は、単一のアンテナを含んでよく、またはアンテナのセットを含んでよい。
【０１１８】
図14は、本開示の様々な態様による、sTTIを用いたデータおよび基準信号送信のための構成をサポートするUEアップリンク通信マネージャ1415のブロック図1400を示す。UEアップリンク通信マネージャ1415は、図12、図13、および図15を参照しながら説明するUEアップリンク通信マネージャ1515の態様の一例であってもよい。UEアップリンク通信マネージャ1415は、リソース割振り構成要素1420、TTI構成用構成要素1425、アップリンク許可構成要素1430、巡回シフト構成要素1435、スクランブル構成要素1440、バンドリング構成要素1445、CSI構成要素1450、およびRRC構成要素1455を含み得る。これらのモジュールの各々は、(たとえば、1つまたは複数のバスを介して)互いと直接または間接的に通信してもよい。
【０１１９】
リソース割振り構成要素1420は、第1のTTIに対するアップリンクリソースの割振りを基地局から受信してもよく、第1のTTIは、無線サブフレームのスロット内に3つのOFDMシンボルを含む。
【０１２０】
TTI構成用構成要素1425は、第1のTTIのためのRSおよびデータの構成を識別し得る。場合によっては、RS構成を識別することは、第1のTTI内で、1つのデータシンボル、1つのRSシンボル、および1つの未使用シンボルを識別することを含む。場合によっては、第1のTTIの最初のシンボルは第1のTTIがサブフレームの始端に位置するときに未使用シンボルであり、第1のTTIの最後のシンボルは第1のTTIがサブフレームの終端に位置するときに未使用シンボルであり、あるいは第1のTTIの最初のシンボルまたは最後のシンボルのいずれかは第1のTTIがサブフレームの始端にも終端にも位置しないときに未使用シンボルである。場合によっては、RS構成を識別することは、2つのデータシンボルおよび1つのRSシンボルを識別することを含む。場合によっては、RS構成は、データ送信に使用されるべきである第1のTTI内の1つまたは複数のOFDMシンボルロケーションと、DMRS送信に使用されるべきである第1のTTI内の1つまたは複数のOFDMシンボルロケーションとを示す。場合によっては、2つのデータシンボルは自己復号可能である。場合によっては、2つのデータシンボルは、非冗長情報を搬送するように構成される。場合によっては、2つのデータシンボルは、冗長情報を搬送するように構成される。
【０１２１】
アップリンク許可構成要素1430は、RSおよびデータの構成に基づいて割り振られたアップリンクリソースを使用して、RSおよびデータを基地局に送信し得る。場合によっては、受信することは、アップリンクリソースの割振りの一部としてRS構成を受信することをさらに含む。
【０１２２】
巡回シフト構成要素1435は、第1の巡回シフト(CS)を使用して巡回シフトされる制御データを有する第1のデータシンボルと、第1のCSとは異なる第2のCSを使用して巡回シフトされる同じ制御データを有する第2のデータシンボルとを与えるために、2つのデータシンボルに巡回シフトを適用し得る。
【０１２３】
スクランブル構成要素1440は、第1のスクランブルシーケンスを使用してスクランブルされる制御データを有する第1のデータシンボルと、第2のスクランブルシーケンスを使用してスクランブルされる同じ制御データを有する第2のデータシンボルとを与えるために、2つのデータシンボルにスクランブルシーケンスを適用し得る。
【０１２４】
バンドリング構成要素1445は、第1の数のHARQバンドリング動作を使用して第1のTTIを送信することと、HARQバンドリング動作の第1の数より大きい第2の数のHARQバンドリング動作を使用して、サブフレームのスロット内に2つのOFDMシンボルを含む第2のTTIを送信することとを行い得る。
【０１２５】
CSI構成要素1450は、豊富なCSIプロセスを用いて第1のTTIを送信してもよく、制限されたCSIプロセスを用いて第2のTTIを送信してもよい。RRC構成要素1455は、RS構成を含むRRCシグナリングを受信し得る。
【０１２６】
図15は、本開示の様々な態様による、sTTIを用いたデータおよび基準信号送信のための構成をサポートするデバイス1505を含むシステム1500の図を示す。デバイス1505は、たとえば、図1に関して上記で説明したUE115の構成要素の例であることがあり、またはそれを含むことがある。デバイス1505は、UEアップリンク通信マネージャ1515と、プロセッサ1520と、メモリ1525と、ソフトウェア1530と、トランシーバ1535と、アンテナ1540と、I/Oコントローラ1545とを含む、通信を送信および受信するための構成要素を含む、双方向音声およびデータ通信のための構成要素を含んでもよい。これらの構成要素は、1つまたは複数のバス(たとえば、バス1510)を介して電気的に通信していることがある。デバイス1505は、1つまたは複数の基地局105とワイヤレスに通信することができる。
【０１２７】
プロセッサ1520は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1520は、メモリコントローラを使用して、メモリアレイを動作させるように構成されてもよい。他の場合には、メモリコントローラは、プロセッサ1520内に統合されてよい。プロセッサ1520は、様々な機能(たとえば、sTTIを用いたデータおよび基準信号送信のための構成をサポートする機能またはタスク)を実行するために、メモリに記憶されたコンピュータ可読命令を実行するように構成され得る。
【０１２８】
メモリ1525は、RAMとROMとを含み得る。メモリ1525は、実行されると、プロセッサに本明細書で説明する様々な機能を実行させる命令を含むコンピュータ可読、コンピュータ実行可能ソフトウェア1530を記憶し得る。場合によっては、メモリ1525は、とりわけ、周辺構成要素またはデバイスとの相互作用などの、基本ハードウェアおよび/またはソフトウェア動作を制御し得るBIOSを含み得る。
【０１２９】
ソフトウェア1530は、sTTIを用いたデータおよび基準信号送信のための構成をサポートするためのコードを含む、本開示の態様を実装するためのコードを含み得る。ソフトウェア1530は、システムメモリまたは他のメモリなどの非一時的コンピュータ可読媒体内に記憶されてもよい。場合によっては、ソフトウェア1530は、プロセッサによって直接実行可能ではない場合があるが、(たとえば、コンパイルされ、実行されたときに)本明細書で説明する機能をコンピュータに実行させてもよい。
【０１３０】
トランシーバ1535は、上記のように、1つまたは複数のアンテナ、ワイヤードリンク、またはワイヤレスリンクを介して、双方向に通信し得る。たとえば、トランシーバ1535は、ワイヤレストランシーバを表すことがあり、別のワイヤレストランシーバと双方向に通信し得る。トランシーバ1535は、パケットを変調し、変調されたパケットを送信のためにアンテナに与え、かつアンテナから受信されたパケットを復調するためのモデムも含み得る。
【０１３１】
場合によっては、ワイヤレスデバイスは、単一のアンテナ1540を含み得る。しかしながら、場合によっては、デバイスは、複数のワイヤレス送信を同時に送信または受信することが可能であり得る複数のアンテナ1540を有し得る。
【０１３２】
I/Oコントローラ1545は、デバイス1505のための入力信号および出力信号を管理することができる。I/Oコントローラ1545はまた、デバイス1505に統合されていない周辺装置を管理することができる。場合によっては、I/Oコントローラ1545は、外部周辺装置への物理接続またはポートを表すことがある。場合によっては、I/Oコントローラ1545は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。
【０１３３】
図16は、本開示の様々な態様による、sTTIを用いたデータおよび基準信号送信のための構成に対する方法1600を示すフローチャートを示す。方法1600の動作は、本明細書で説明したように、基地局105またはその構成要素によって実施されてもよい。たとえば、方法1600の動作は、図8〜図11に関して説明した基地局アップリンク通信マネージャによって実行され得る。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１３４】
ブロック1605において、基地局105は、サブフレームのスロット内に3つのOFDMシンボルを含む第1のTTI内のアップリンク制御チャネル送信に対してアップリンクリソースを割り振り得る。ブロック1605の動作は、図1〜図7に関して説明した方法に従って実行され得る。いくつかの例では、ブロック1605の動作の態様は、図8〜図11に関して説明したリソース割振り構成要素によって実行されてもよい。
【０１３５】
ブロック1610において、基地局105は、第1のTTIのためのRS構成を識別し得る。ブロック1610の動作は、図1〜図7に関して説明した方法に従って実行され得る。いくつかの例では、ブロック1610の動作の態様は、図8〜図11に関して説明したTTI構成用構成要素によって実行され得る。
【０１３６】
ブロック1615において、基地局105は、アップリンク制御チャネル送信に対するアップリンク許可をUEに送信してもよく、アップリンク許可は、第1のTTIに対する割り振られたアップリンクリソースのうちの少なくとも1つとRS構成との表示を含む。ブロック1615の動作は、図1〜図7に関して説明した方法に従って実行され得る。いくつかの例では、ブロック1615の動作の態様は、図8〜図11に関して説明したアップリンク許可構成要素によって実行され得る。
【０１３７】
図17は、本開示の様々な態様による、sTTIを用いたデータおよび基準信号送信のための構成に対する方法1700を示すフローチャートを示す。方法1700の動作は、本明細書で説明したように、基地局105またはその構成要素によって実施されてもよい。たとえば、方法1700の動作は、図8〜図11に関して説明した基地局アップリンク通信マネージャによって実行され得る。いくつかの例では、基地局105は、以下で説明する機能を実行するようにデバイスの機能要素を制御するためのコードのセットを実行してよい。追加または代替として、基地局105は、専用ハードウェアを使用して、以下で説明する機能の態様を実行してもよい。
【０１３８】
ブロック1705において、基地局105は、サブフレームのスロット内に3つのOFDMシンボルを含む第1のTTI内のアップリンク制御チャネル送信に対してアップリンクリソースを割り振り得る。ブロック1705の動作は、図1〜図7に関して説明した方法に従って実行され得る。いくつかの例では、ブロック1705の動作の態様は、図8〜図11に関して説明したリソース割振り構成要素によって実行されてもよい。
【０１３９】
ブロック1710において、基地局105は、未使用シンボルを有する第1のTTIのためのRS構成を識別し得る。ブロック1710の動作は、図1〜図7に関して説明した方法に従って実行され得る。いくつかの例では、ブロック1710の動作の態様は、図8〜図11に関して説明したTTI構成用構成要素によって実行され得る。
【０１４０】
ブロック1715において、基地局105は、第1のTTIがサブフレームの始端に位置するのかまたはサブフレームの終端に位置するのかを決定し得る。ブロック1715の動作は、図1〜図7に関して説明した方法に従って実行され得る。いくつかの例では、ブロック1715の動作の態様は、図8〜図11に関して説明したリソース割振り構成要素によって実行されてもよい。
【０１４１】
ブロック1720において、基地局105は、第1のTTIがサブフレームの始端に位置すると決定することに応答して、第1のTTIの最初のシンボルを未使用シンボルとして選択し得る。ブロック1720の動作は、図1〜図7に関して説明した方法に従って実行され得る。いくつかの例では、ブロック1720の動作の態様は、図8〜図11に関して説明したTTI構成用構成要素によって実行され得る。
【０１４２】
ブロック1725において、基地局105は、第1のTTIがサブフレームの終端に位置すると決定することに応答して、第1のTTIの最後のシンボルを未使用シンボルとして選択し得る。ブロック1725の動作は、図1〜図7に関して説明した方法に従って実行され得る。いくつかの例では、ブロック1725の動作の態様は、図8〜図11に関して説明したTTI構成用構成要素によって実行され得る。
【０１４３】
ブロック1730において、基地局105は、第1のTTIがサブフレームの始端にも終端にも位置しないと決定することに応答して、第1のTTIの最初のシンボルかまたは最後のシンボルのいずれかを未使用シンボルとして選択し得る。ブロック1730の動作は、図1〜図7に関して説明した方法に従って実行され得る。いくつかの例では、ブロック1730の動作の態様は、図8〜図11に関して説明したTTI構成用構成要素によって実行され得る。
【０１４４】
ブロック1735において、基地局105は、アップリンク制御チャネル送信に対するアップリンク許可をUEに送信してもよく、アップリンク許可は、第1のTTIに対する割り振られたアップリンクリソースのうちの少なくとも1つとRS構成との表示を含む。ブロック1735の動作は、図1〜図7に関して説明した方法に従って実行され得る。いくつかの例では、ブロック1735の動作の態様は、図8〜図11に関して説明したアップリンク許可構成要素によって実行され得る。
【０１４５】
図18は、本開示の様々な態様による、sTTIを用いたデータおよび基準信号送信のための構成に対する方法1800を示すフローチャートを示す。方法1800の動作は、本明細書で説明するように、UE115またはその構成要素によって実装され得る。たとえば、方法1800の動作は、図12〜図15に関して説明したUEアップリンク通信マネージャによって実行され得る。いくつかの例では、UE115は、以下で説明する機能を実行するようにデバイスの機能要素を制御するためのコードのセットを実行してよい。追加または代替として、UE115は、専用ハードウェアを使用して、以下で説明する機能態様を実施し得る。
【０１４６】
ブロック1805において、UE115は、第1のTTIに対するアップリンクリソースの割振りを基地局から受信してもよく、第1のTTIは、無線サブフレームのスロット内に3つのOFDMシンボルを含む。ブロック1805の動作は、図1〜図7に関して説明した方法に従って実行され得る。いくつかの例では、ブロック1805の動作の態様は、図12〜図15に関して説明したリソース割振り構成要素によって実行されてもよい。
【０１４７】
ブロック1810において、UE115は、第1のTTIのためのRSおよびデータの構成を識別し得る。ブロック1810の動作は、図1〜図7に関して説明した方法に従って実行され得る。いくつかの例では、ブロック1810の動作の態様は、図12〜図15に関して説明したTTI構成用構成要素によって実行され得る。
【０１４８】
ブロック1815において、UE115は、RSおよびデータの構成に少なくとも部分的に基づいて割り振られたアップリンクリソースを使用して、RSおよびデータを基地局に送信し得る。ブロック1815の動作は、図1〜図7に関して説明した方法に従って実行され得る。いくつかの例では、ブロック1815の動作の態様は、図12〜図15に関して説明したアップリンク許可構成要素によって実行され得る。
【０１４９】
上記の方法は、可能な実装形態について説明しており、動作およびステップは、並べ替えられるか、または他の方法で修正されてもよく、他の実装形態が可能であることに留意されたい。さらに、方法のうちの2つ以上からの態様が組み合わせられてよい。
【０１５０】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装し得る。CDMA2000は、IS-2000規格、IS-95規格、およびIS-856規格を対象とする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。時分割多元接続(TDMA)システムは、モバイル通信用グローバルシステム(GSM(登録商標))などの無線技術を実装し得る。
【０１５１】
直交周波数分割多元接続(OFDMA)システムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications system(UMTS)の一部である。3GPPロングタームエボリューション(LTE)およびLTEアドバンスト(LTE-A)は、E-UTRAを使用するユニバーサルモバイルテレコミュニケーションシステム(UMTS)のリリースである。UTRA、E-UTRA、UMTS、LTE、LTE-A、NR、およびモバイル通信用グローバルシステム(GSM)は、「第3世代パートナーシッププロジェクト」(3GPP)と称する団体からの文書に記載されている。CDMA2000およびUMBは、「第3世代パートナーシッププロジェクト2」(3GPP2)と称する団体の文書に記載されている。本明細書で説明した技法は、上述されたシステムおよび無線技術ならびに他のシステムおよび無線技術に使用される場合がある。LTEまたはNRのシステムの態様が例として説明されることがあり、説明の大部分においてLTEまたはNRの用語が使用されるべきであるが、本明細書で説明される技法はLTEまたはNRの適用例以外に適用可能である。
【０１５２】
本明細書で説明したそのようなネットワークを含むLTE/LTE-Aネットワークでは、発展型ノードB(eNB)という用語は一般に、基地局を表すために使用され得る。本明細書で説明される1つまたは複数のワイヤレス通信システムは、異なるタイプの発展型ノードB(eNB)が様々な地理的領域にカバレッジを与える、異種LTE/LTE-AまたはNRのネットワークを含み得る。たとえば、各eNB、gNB、または基地局は、マクロセル、スモールセル、または他のタイプのセル用の、通信カバレッジを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０１５３】
基地局は、基地トランシーバ局、無線基地局、アクセスポイント、無線トランシーバ、NodeB、eNodeB(eNB)、次世代NodeB(gNB)、ホームNodeB、ホームeNodeB、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロセル基地局またはスモールセル基地局)を含み得る。本明細書で説明したUEは、マクロeNB、スモールセルeNB、gNB、中継基地局などを含む、様々なタイプの基地局およびネットワーク機器と通信することが可能であり得る。異なる技術のための重複する地理的カバレッジエリアがあってよい。
【０１５４】
マクロセルは、一般に、比較的大きい地理的エリア(たとえば、半径数キロメートル)をカバーし、ネットワークプロバイダのサービスに加入しているUEによる無制限アクセスを可能にしてもよい。スモールセルは、マクロセルと比較して、同じまたは異なる(たとえば、免許、免許不要などの)周波数帯域内でマクロセルとして動作し得る低電力基地局である。スモールセルは、様々な例によれば、ピコセル、フェムトセル、およびマイクロセルを含む場合がある。ピコセルは、たとえば、小さい地理的エリアをカバーしてもよく、ネットワークプロバイダのサービスに加入しているUEによる無制限アクセスを可能にしてもよい。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUE、など)による制限付きアクセスを提供することができる。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートしてもよい。
【０１５５】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有する場合があり、異なる基地局からの送信は、時間的に整合されないことがある。本明細書で説明した技法は、同期動作または非同期動作のいずれに使用されてもよい。
【０１５６】
本明細書で説明されるダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明される各通信リンクは、1つまたは複数のキャリアを含むことがあり、ここで、各キャリアは、複数のサブキャリア(たとえば、異なる周波数の波形信号)で構成される信号であり得る。
【０１５７】
添付の図面に関して本明細書に記載された説明は、例示的な構成を説明し、実装され得るまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践されてよい。いくつかの事例では、説明した例の概念を不明瞭にすることを回避するために、よく知られている構造およびデバイスがブロック図の形態で示される。
【０１５８】
添付の図では、同様の構成要素または特徴は、同じ参照ラベルを有する場合がある。さらに、同じタイプの様々な構成要素は、参照ラベルの後に、ダッシュと、同様の構成要素を区別する第2のラベルとを続けることによって区別される場合がある。第1の参照ラベルのみが本明細書において使用される場合、説明は、第2の参照ラベルにかかわらず、同じ第1の参照ラベルを有する類似の構成要素のうちのいずれにも適用可能である。
【０１５９】
本明細書で説明する情報および信号は、多種多様な技術および技法のいずれかを使用して表されてもよい。たとえば、上記の説明全体にわたって言及される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１６０】
本明細書の開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１６１】
本明細書で説明した機能は、ハードウェア、プロセッサによって実行されるソフトウェア、ファームウェア、またはそれらの任意の組合せとして実装されてよい。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態は、本開示および添付の特許請求の範囲の範囲内に入る。たとえば、ソフトウェアの性質により、上で説明された機能は、プロセッサによって実行されるソフトウェア、ハードウェア、ファームウェア、ハードワイヤリング、またはそれらのいずれかの組合せを使用して実装され得る。機能を実装する特徴はまた、異なる物理的位置において機能の部分が実装されるように分散されることを含めて、様々な位置に物理的に配置されてもよい。また、特許請求の範囲内を含めて本明細書で使用する場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈しなければならない。
【０１６２】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され得、汎用コンピュータもしくは専用コンピュータまたは汎用プロセッサもしくは専用プロセッサによってアクセスされ得るいずれかの他の非一時的媒体を備え得る。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０１６３】
本明細書での説明は、当業者が本開示を作成または使用することを可能にするために与えられる。本開示の様々な修正は、当業者に容易に明らかになり、本明細書で定義される一般原理は、本開示の範囲を逸脱することなく他の変形形態に適用され得る。したがって、本開示は、本明細書で説明した例および設計に限定されず、本明細書で開示した原理および新規の特徴と一致する最も広い範囲を与えられるべきである。
【符号の説明】
【０１６４】
100  ワイヤレス通信システム
105  基地局(BS)
105-a  基地局
105-b  基地局
110  地理的カバレッジエリア
115  ユーザ機器(UE)
115-a  UE
115-b  UE
125  通信リンク
130  コアネットワーク
132  バックホールリンク
134  バックホールリンク
200  ワイヤレス通信システム
205  キャリア
210  サブフレーム
210-a  第1のサブフレーム
210-b  第2のサブフレーム
210-c  第3のサブフレーム
220  第1のスロット(スロット0)
225  第2のスロット(スロット1)
230  第1の短縮送信時間間隔(sTTI)(TTI-0)
235  第2のsTTI(TTI-1)
240  第3のsTTI(TTI-2)
300  スロット整合sTTIパターン
310  サブフレーム
315  第1のスロット(スロット0)
320  第2のスロット(スロット1)
325  第1の送信時間間隔(TTI)(TTI-0)
330  第2のTTI(TTI-1)
335  第3のTTI(TTI-2)
340  3-2-2スロットアライメント
345  2-2-3スロットアライメント
350  2-3-2スロットアライメント
400  基準信号(RS)パターン
405  第1のシンボル
410  第2のシンボル
415  第3のシンボル
420  パターン1-a
425  第1のシンボル
430  第2のシンボル
435  第3のシンボル
440  パターン1-b
445  第1のシンボル
450  第2のシンボル
455  第3のシンボル
460  パターン1-c
465  第1のシンボル
470  第2のシンボル
475  第3のシンボル
480  パターン1-d
500  RSパターン
505  第1のシンボル
510  第2のシンボル
515  第3のシンボル
520  パターン2-a
525  第1のシンボル
530  第2のシンボル
535  第3のシンボル
540  パターン2-b
545  第1のシンボル
550  第2のシンボル
555  第3のシンボル
560  パターン2-c
600  RSパターン
605  第1のシンボル
610  第2のシンボル
615  第3のシンボル
620  パターン3-a
625  第1のシンボル
630  第2のシンボル
635  第3のシンボル
640  パターン3-b
645  第1のシンボル
650  第2のシンボル
655  第3のシンボル
660  パターン3-c
700  プロセスフロー
705  接続
710  アップリンク制御情報(UCI)
715  ブロック
720  ブロック
725  ブロック
730  ダウンリンク制御情報(DCI)
735  ブロック
740  ブロック
745  アップリンク送信
750  ブロック
800  ブロック図
805  ワイヤレスデバイス
810  受信機
815  基地局アップリンク通信マネージャ
820  送信機
900  ブロック図
905  ワイヤレスデバイス
910  受信機
915  基地局アップリンク通信マネージャ
920  送信機
925  リソース割振り構成要素
930  TTI構成用構成要素
935  アップリンク許可構成要素
1000  ブロック図
1015  基地局アップリンク通信マネージャ
1020  リソース割振り構成要素
1025  TTI構成用構成要素
1030  アップリンク許可構成要素
1035  巡回シフト構成要素
1040  スクランブル構成要素
1045  チャネル状態情報(CSI)構成要素
1050  無線リソース制御(RRC)構成要素
1100  システム
1105  デバイス
1110  バス
1115  基地局アップリンク通信マネージャ
1120  プロセッサ
1125  メモリ
1130  ソフトウェア
1135  トランシーバ
1140  アンテナ
1145  ネットワーク通信マネージャ
1150  基地局通信マネージャ
1200  ブロック図
1205  ワイヤレスデバイス
1210  受信機
1215  UEアップリンク通信マネージャ
1220  送信機
1300  ブロック図
1305  ワイヤレスデバイス
1310  受信機
1315  UEアップリンク通信マネージャ
1320  送信機
1325  リソース割振り構成要素
1330  TTI構成用構成要素
1335  アップリンク許可構成要素
1400  ブロック図
1415  UEアップリンク通信マネージャ
1420  リソース割振り構成要素
1425  TTI構成用構成要素
1430  アップリンク許可構成要素
1435  巡回シフト構成要素
1440  スクランブル構成要素
1445  バンドリング構成要素
1450  CSI構成要素
1455  RRC構成要素
1500  システム
1505  デバイス
1510  バス
1515  UEアップリンク通信マネージャ
1520  プロセッサ
1525  メモリ
1530  ソフトウェア
1535  トランシーバ
1540  アンテナ
1545  I/Oコントローラ
【図１】
2019537371.tif 000003
【図２】
2019537371.tif 000004
【図３】
2019537371.tif 000005
【図４】
2019537371.tif 000006
【図５】
2019537371.tif 000007
【図６】
2019537371.tif 000008
【図７】
2019537371.tif 000009
【図８】
2019537371.tif 000010
【図９】
2019537371.tif 000011
【図１０】
2019537371.tif 000012
【図１１】
2019537371.tif 000013
【図１２】
2019537371.tif 000014
【図１３】
2019537371.tif 000015
【図１４】
2019537371.tif 000016
【図１５】
2019537371.tif 000017
【図１６】
2019537371.tif 000018
【図１７】
2019537371.tif 000019
【図１８】
2019537371.tif 000020
【国際調査報告】
2019537371.tif 000021
2019537371.tif 000022